(57)【特許請求の範囲】
【請求項１】
各種情報を表示する表示手段と、
各種文字及び各種指示を入力する入力手段と、
前記入力手段を介して、文字データ、図形データ、画像データ、表データ、描画データ、または、それらの組み合わせからなる編集データを作成する編集データ作成手段と、
前記編集データ作成手段によって作成された編集データに基づいて前記表示手段に表示イメージを表示する表示制御手段と、
前記表示制御手段を介して、前記表示手段に表示されている前記表示イメージに対して、印刷装置で印刷するための印刷範囲を指定する印刷枠を表示手段に表示しながら設定する印刷枠設定手段と、
前記印刷枠設定手段によって設定された印刷枠に対応する印刷範囲を記憶する印刷範囲記憶手段と、
前記印刷範囲記憶手段に記憶された印刷範囲に含まれる前記表示イメージ、或いは、当該印刷範囲に含まれる前記表示イメージに対応する前記編集データを、前記印刷装置で印刷する印刷データとして送信する送信手段とを備え、
前記印刷枠は、形状が前記印刷装置によって印刷される被印刷媒体の外形形状に対応していると共に、少なくとも２つ設定することを特徴とする印刷データ編集装置。
【請求項２】
前記表示手段に表示される前記印刷枠のサイズは、前記印刷装置が装着可能な被印刷媒体の１つとサイズが同じであることを特徴とする請求項１に記載の印刷データ編集装置。
【請求項３】
前記表示手段に表示される前記印刷枠の表示位置の移動を指示する移動手段を備え、印刷枠の移動に伴い、前記印刷装置により印刷するための印刷範囲の位置を変更することを特徴とする請求項１または２に記載の印刷データ編集装置。
【請求項４】
前記表示手段に表示される前記印刷枠の位置とサイズとを備える印刷枠のレイアウトを含むテンプレートをイメージとして表示するテンプレートイメージを複数表示してテンプレートを選択させるテンプレート選択手段を備えることを特徴とする請求項１乃至３の何れかに記載の印刷データ編集装置。
【請求項５】
前記テンプレートは、前記文字データ、及び、画像データの何れかの位置とサイズとを有することを特徴とする請求項４に記載の印刷データ編集装置。
【請求項６】
前記印刷装置は、印刷装置に装着される被印刷媒体のサイズを検出する検出手段を有し、前記表示手段に表示された前記印刷枠は、印刷枠が表示された初期状態では前記検出手段で検出された被印刷媒体のサイズで表示されるようにしたことを特徴とする請求項１乃至５の何れかに記載の印刷データ編集装置。
【請求項７】
前記表示手段に表示される前記印刷枠を表示手段上に配置する向きを指示する表示方向指示手段を備えたことを特徴とする請求項１乃至６の何れかに記載の印刷データ編集装置。
【請求項８】
前記印刷枠を２つ以上選択する複数印刷枠選択手段を備え、
前記送信手段は、選択された各印刷枠に対応する印刷データを前記印刷装置に対し一括して送信することを特徴とする請求項１乃至７の何れかに記載の印刷データ編集装置。
【請求項９】
前記印刷装置は、印刷装置に装着される被印刷媒体のサイズを検出する検出手段を有し、
前記送信手段は、前記複数印刷枠選択手段により選択された前記印刷枠の内、前記検出手段により検出され前記印刷装置に装着されている被印刷媒体のサイズに適合する印刷枠に対応する印刷データを前記印刷装置に対し一括して送信することを特徴とする請求項８に記載の印刷データ編集装置。
【請求項１０】
前記印刷装置に対し印刷データが送信された時、前記複数印刷枠選択手段により選択された前記印刷枠の中に印刷装置に装着されている印刷媒体のサイズと適合しない印刷枠がある場合に、前記表示手段は前記適合しない印刷枠に対応する被印刷媒体への交換メッセージの表示を行い、前記送信手段は前記適合しない印刷枠に対応する被印刷媒体へ交換された後に、前記交換により被印刷媒体に適合することとなった印刷枠に対応する印刷データを前記印刷装置に対し一括して送信することを特徴とする請求項９に記載の印刷データ編集装置。
【発明の詳細な説明】
【技術分野】
【０００１】
本発明は、印刷データ編集装置に関し、特に編集データを作成する表示画面に印刷範囲を指定する少なくとも２つ印刷枠を有する印刷データ編集装置に関するものである。
【背景技術】
【０００２】
従来、文字データ、図形データ、画像データ、表データ、描画データ等を印刷媒体に印刷するための編集データを作成する印刷データ編集装置においては、編集画面と印刷領域とは一体不可分であり、１つの編集画面においては１つの印刷領域が指定できるだけであった。そして、例えば、ファイルの表紙と背表紙とに貼るラベルを別個に作成する場合、封筒に貼る宛名ラベルと差出人のラベルを作成する場合、ＣＤに貼るラベルとＣＤを収納するケースに貼るラベルを作成する場合等、ラベル同士に関連がある場合においても、ラベル毎に編集画面が必要であった。そのため、一方のラベルの編集データを流用して他方のラベルを作成したい時は、一方のラベルの編集画面とは別の編集画面を開き一方のラベルの編集データをそこにコピーして作成していた。
尚、１つの編集画面において、複数の印刷領域を印刷する技術としては、特許文献１に示すようなポスター割付印刷機能を備えたプリンタドライバがある。ポスター割付印刷とは、巨大な印刷物を得るため、プリンタにセットされている用紙の最大サイズよりも大きいサイズの印刷物を得るように用紙の最大サイズよりも拡大したイメージを分割して印刷する機能のことである。特許文献１に示すプリンタドライバでは、用紙にロール紙を用いており、アプリケーションから渡されたイメージを、オペレータによって指定された用紙サイズ倍率に従って拡大する。そして、拡大されたイメージから、ロール紙上での印刷領域と同じ幅の短冊状領域を、ロール紙の長手方向に沿って切り出す。そして、切り出された短冊状領域を、ロール紙上に印刷する。
【０００３】
【特許文献１】特開２００３−１９１５３８号公報
【発明の開示】
【発明が解決しようとする課題】
【０００４】
しかしながら、前述したように一方のラベルの編集データを流用して他方のラベルを作成したい時は、一方のラベルの編集画面とは別の編集画面を開き一方のラベルの編集データをそこにコピーして作成する必要がある。その場合、後から両方のラベルに共通する図柄を修正したい時、ユーザは両方の編集画面のラベルデータを修正する必要があり手間であった。また、互いのラベルのバランスを取りながら各ラベルのサイズを決定したい時は、両方の編集画面を交互に見比べる必要があり不便であった。それらの事情は、前述の特許文献１に記載の技術においても同様である。
【０００５】
本発明は、前記従来における問題点を解決するためになされたものであり、印刷データ編集装置の編集画面においては、印刷領域を示す複数の印刷枠を設定でき、印刷枠は個別にその位置とサイズを自由に設定できる。その場合、例えば、一方のラベルの編集データを流用して他方のラベルを作成したい時は、一方のラベルの編集画面とは別の編集画面を開くことなく共通の編集画面にて他方のラベルを作成することができる。また、他方のラベルは必ずしも一方のラベルデータをコピーして作成する必要はなく、共通する図柄の部分は印刷枠同士を重ね、残りの図柄のラベルデータを追加することにより作成することが可能となる。そうすることにより、共通な図柄に後から修正があった場合、両方のラベルデータを修正する必要はない。また、共通の編集画面にて編集するので、複数のラベルのバランスを取りながら各ラベルのサイズを決定し易い。
このように、印刷データ編集装置の編集画面において、印刷領域を示す複数の印刷枠を設定でき、印刷枠は個別にその位置とサイズを自由に設定でき、それにより種々の使い方ができ、特に、互いに関連のあるラベルを作成する場合において、ユーザが編集をし易いユーザインターフェースを有する編集画面を備えた印刷データ編集装置の提供を目的とする。
【課題を解決するための手段】
【０００６】
前記目的を達成するため請求項１に係る印刷データ編集装置は、各種情報を表示する表示手段と、各種文字及び各種指示を入力する入力手段と、前記入力手段を介して、文字データ、図形データ、画像データ、表データ、描画データ、または、それらの組み合わせからなる編集データを作成する編集データ作成手段と、前記編集データ作成手段によって作成された編集データに基づいて前記表示手段に表示イメージを表示する表示制御手段と、前記表示制御手段を介して、前記表示手段に表示されている前記表示イメージに対して、印刷装置で印刷するための印刷範囲を指定する印刷枠を表示手段に表示しながら設定する印刷枠設定手段と、前記印刷枠設定手段によって設定された印刷枠に対応する印刷範囲を記憶する印刷範囲記憶手段と、前記印刷範囲記憶手段に記憶された印刷範囲に含まれる前記表示イメージ、或いは、当該印刷範囲に含まれる前記表示イメージに対応する前記編集データを、前記印刷装置で印刷する印刷データとして送信する送信手段とを備え、前記印刷枠は、形状が前記印刷装置によって印刷される被印刷媒体の外形形状に対応していると共に、少なくとも２つ設定することを特徴とする。
【０００７】
また、請求項２に係る印刷データ編集装置は、請求項１に記載の印刷データ編集装置において、前記表示手段に表示される前記印刷枠のサイズは、前記印刷装置が装着可能な被印刷媒体の１つとサイズが同じであることを特徴とする。
【０００８】
また、請求項３に係る印刷データ編集装置は、請求項１又は請求項２に記載の印刷データ編集装置において、前記表示手段に表示される前記印刷枠の表示位置の移動を指示する移動手段を備え、印刷枠の移動に伴い、前記印刷装置により印刷するための印刷範囲の位置を変更することを特徴とする。
【０００９】
また、請求項４に係る印刷データ編集装置は、請求項１乃至３の何れかに記載の印刷データ編集装置において、前記表示手段に表示される前記印刷枠の位置とサイズとを備える印刷枠のレイアウトを含むテンプレートをイメージとして表示するテンプレートイメージを複数表示してテンプレートを選択させるテンプレート選択手段を備えることを特徴とする。
【００１０】
また、請求項５に係る印刷データ編集装置は、請求項４に記載の印刷データ編集装置において、前記テンプレートは、前記文字データ、及び、画像データの何れかの位置とサイズとを有することを特徴とする。
【００１１】
また、請求項６に係る印刷データ編集装置は、請求項１乃至５の何れかに記載の印刷データ編集装置において、前記印刷装置は、印刷装置に装着される被印刷媒体のサイズを検出する検出手段を有し、前記表示手段に表示された前記印刷枠は、印刷枠が表示された初期状態では前記検出手段で検出された被印刷媒体のサイズで表示されるようにしたことを特徴とする。
【００１２】
また、請求項７に係る印刷データ編集装置は、請求項１乃至６の何れかに記載の印刷データ編集装置において、前記表示手段に表示される前記印刷枠を表示手段上に配置する向きを指示する表示方向指示手段を備えたことを特徴とする。
【００１３】
また、請求項８に係る印刷データ編集装置は、請求項１乃至７の何れかに記載の印刷データ編集装置において、前記印刷枠を２つ以上選択する複数印刷枠選択手段を備え、前記送信手段は、選択された各印刷枠に対応する印刷データを前記印刷装置に対し一括して送信することを特徴とする。
【００１４】
また、請求項９に係る印刷データ編集装置は、請求項８に記載の印刷データ編集装置において、前記印刷装置は、印刷装置に装着される被印刷媒体のサイズを検出する検出手段を有し、前記送信手段は、前記複数印刷枠選択手段により選択された前記印刷枠の内、前記検出手段により検出され前記印刷装置に装着されている被印刷媒体のサイズに適合する印刷枠に対応する印刷データを前記印刷装置に対し一括して送信することを特徴とする。
【００１５】
また、請求項１０に係る印刷データ編集装置は、請求項９に記載の印刷データ編集装置において、前記印刷装置に対し印刷データが送信された時、前記複数印刷枠選択手段により選択された前記印刷枠の中に印刷装置に装着されている印刷媒体のサイズと適合しない印刷枠がある場合に、前記表示手段は前記適合しない印刷枠に対応する被印刷媒体への交換メッセージの表示を行い、前記送信手段は前記適合しない印刷枠に対応する被印刷媒体へ交換された後に、前記交換により被印刷媒体に適合することとなった印刷枠に対応する印刷データを前記印刷装置に対し一括して送信することを特徴とする。
【発明の効果】
【００１６】
請求項１に記載の発明によれば、表示手段に表示される印刷枠は、形状が印刷装置によって印刷される被印刷媒体の外形形状に対応していると共に、少なくとも２つ設定することができる。それにより、編集データ作成手段によって作成された編集データに基づいて表示手段に表示イメージを表示する表示制御手段と、表示制御手段を介して、表示手段に表示されている表示イメージに対して、所望する複数の表示位置にたいして、印刷範囲を設定する同形又は異形の印刷枠をそれぞれ設定することによって、別々の被印刷媒体に印刷することが可能となる。また、１つの印刷枠で設定された編集データの印刷範囲を他の同形又は異形の印刷枠で全て覆うことによって、同一の編集データの印刷範囲をそれぞれ印刷したり片方の印刷枠を少しずつずらしたりして印刷することも可能であるので、印刷結果にバリエーションを広げることができる。また、編集データ作成手段は、出来上がりは別々であるが関連性の強い複数の被印刷媒体の印刷範囲を組み合わせて編集データを作成することができる。例えば、封書の宛先及び差出人等が印刷された被印刷媒体を作成するときに、実際に印刷された被印刷媒体を貼り付けた状態に近い状態で編集ができるので、被印刷媒体に対する印刷範囲のバランスおよび封書に対する編集データのバランスが容易に調整できる。
【００１７】
また、請求項２に記載の発明によれば、表示手段に表示される印刷枠のサイズは、印刷装置が装着可能な被印刷媒体の１つとサイズが同じである。それにより、操作者は被印刷媒体と印刷データとの位置及び大きさのバランスの取れた出来上がりが想定でき、想定通りにできているかの試し刷りをする必要がない。
【００１８】
また、請求項３に記載の発明によれば、表示手段に表示される印刷枠の表示位置の移動を指示する移動手段を備え、印刷枠の移動に伴い、印刷装置により印刷するための印刷範囲の位置を変更する。それにより、表示手段に表示される編集データのどこからでも印刷枠によって印刷データを取得することができる。また、印刷枠の移動によって印刷範囲の位置を微調整できる。
【００１９】
また、請求項４に記載の発明によれば、表示手段に表示される印刷枠の位置とサイズとを備える印刷枠のレイアウトを含むテンプレートをイメージとして表示するテンプレートイメージを複数表示してテンプレートを選択させるテンプレート選択手段を備える。それにより、操作者が目的とする印刷枠のレイアウトのテンプレートを素早く見付け出すことができる。また、選択されたテンプレートの印刷枠のレイアウトは表示手段の所定の場所に表示される。そのため、操作者は表示手段に表示される印刷枠のレイアウトに対して素早く作業ができる。
【００２０】
また、請求項５に記載の発明によれば、テンプレートは、文字データ、及び、画像データの何れかの位置とサイズとを有する。それにより、操作者は編集データを作成するための設定を省略できる。
【００２１】
また、請求項６に記載の発明によれば、印刷装置は、印刷装置に装着される被印刷媒体のサイズを検出する検出手段を有し、表示手段に表示された印刷枠は、印刷枠が表示された初期状態では検出手段で検出された被印刷媒体のサイズで表示されるようにした。それにより、操作者は表示手段に表示された印刷枠の範囲以下で編集作業を行えばよいことが分かる。また、操作者は表示手段に表示された印刷枠の範囲を越えて編集作業を行った場合、被印刷媒体のサイズを交換しなければならないことが分かる。
【００２２】
また、請求項７に記載の発明によれば、表示手段に表示される印刷枠を表示手段上に配置する向きを指示する表示方向指示手段を備えた。それにより、操作者は表示手段に表示される印刷枠の向きを変更することができ、例えば印刷枠の印刷範囲を縦長又は横長にすることによって編集データの印刷する位置を自由に変更することができる。
【００２３】
また、請求項８に記載の発明によれば、印刷枠を２つ以上選択する複数印刷枠選択手段を備え、送信手段は、選択された各印刷枠に対応する印刷データを印刷装置に対し一括して送信する。それにより、印刷データを印刷装置に対し一括して送信するので、操作者は何度も印刷データの送信操作を行う必要がない。
【００２４】
また、請求項９に記載の発明によれば、印刷枠を２つ以上選択する複数印刷枠選択手段を備え、送信手段は、複数印刷枠選択手段により選択された印刷枠の内、検出手段により検出され印刷装置に装着されている被印刷媒体のサイズに適合する印刷枠に対応する印刷データを印刷装置に対し一括して送信する。それにより、印刷装置に装着される被印刷媒体の交換回数を最小限にすることができる。これによって、印刷枠のサイズを混同して送信すると送信された印刷枠のサイズが印刷装置に装着されている被印刷媒体のサイズと異なる度に印刷装置が停止させられることを回避できる。
【００２５】
そして、請求項１０に記載の発明によれば、印刷装置に対し印刷データが送信された時、複数印刷枠選択手段により選択された印刷枠の中に印刷装置に装着されている被印刷媒体のサイズと適合しない印刷枠がある場合に、表示手段は適合しない印刷枠に対応する被印刷媒体への交換メッセージの表示を行い、送信手段は適合しない印刷枠に対応する被印刷媒体へ交換された後に、交換により被印刷媒体に適合することとなった印刷枠に対応する印刷データを印刷装置に対し一括して送信する。それにより、適合しない印刷枠の場合、表示手段が適合しない印刷枠に対応する被印刷媒体への交換メッセージの表示を行って操作者に知らせるので、操作者はその表示に従って速やかに被印刷媒体を交換することができる。そして、被印刷媒体を交換した後に、交換により被印刷媒体に適合することとなった印刷データが印刷装置に対し一括して送信されるので、操作者は何度も印刷データの送信操作を行う必要がない。
【発明を実施するための最良の形態】
【００２６】
以下、本発明に係る印刷データ編集装置について、具体化した第１実施形態乃至第３実施形態に基づいて図面を参照しつつ詳細に説明する。
【００２７】
先ず、第１実施形態について説明する。図１に基づいて第１実施形態に係る印刷データ編集装置の概略構成を説明する。図１は、印刷データ編集装置１の概略外観斜視図である。
図１に示すように、本実施形態に係る印刷データ編集装置１は、パーソナルコンピュータ等から構成されるコンピュータ装置２と、コンピュータ装置２と信号ケーブルＫを介して接続されるテープ印刷装置１０１とから構成されている。
また、コンピュータ装置２は、ホストコントローラ４、表示装置（例えば、ＣＲＴ、ＬＣＤ、プラズマディスプレイ等）５、キーボード６、マウス７、イメージスキャナ８、及びＣＤリード・ライター（ＣＤ−Ｒ／Ｗ）９から構成されている。尚、マウス７は、ジョイスティックやトラックボール等に置き換えてもよい。また、ＣＤ−Ｒ／Ｗ９は、ＭＯ装置、ＤＶＤ装置等に置き換えてもよい。
【００２８】
次に、図１、図２乃至図４に基づいて、テープ印刷装置１０１について説明する。図２は、テープ印刷装置１０１に印刷媒体ホルダ１０３を装着した状態を示す斜視図、図３はロール状印刷媒体１０３Ａが装着された印刷媒体ホルダ１０３を示す説明図、図４は、テープ印刷装置１０１に印刷媒体ホルダ１０３が装着された状態で上カバー１０５を取り外して示す側断面図である。
【００２９】
図１及び図２に示すテープ印刷装置１０１は、所定幅寸法以下（本実施形態では、約６２ｍｍ以下である）の長尺状の粘着媒体を裏面側に有するロール状印刷媒体１０３Ａが巻回された印刷媒体ホルダ１０３が装着され、このロール状印刷媒体１０３Ａに対して印刷する印刷装置であり、コンピュータ装置２からの印刷指令に基づき、所望の文字等が印刷された粘着材付ラベルを作成する。
【００３０】
図１及び図２に示すように、テープ印刷装置１０１は、本体筺体１０２と、所定幅のロール状印刷媒体１０３Ａが巻回された印刷媒体ホルダ１０３を収納する印刷媒体ホルダ収納部１０４（図２参照）の上側を覆うように後側上端縁部に開閉自在に取り付けられた透明樹脂製の上カバー１０５と、この上カバー１０５の前側略中央部に対向するように立設される透明樹脂製のトレー１０６と、このトレー１０６の前側に配置される電源ボタン１０７と、前側側面部に左右移動可能に設けられてカッターユニット１０８（図５参照）を左右に移動させるカッターレバー１０９等から構成されている。また、本体筺体１０２の背面部には一方の側端部に電源コード１１０（図４参照）が接続されると共に、他方の側端部にはコンピュータ装置２等と接続されるＵＳＢ（Ｕｎｉｖｅｒｓａｌ  Ｓｅｒｉａｌ  Ｂｕｓ）等から構成されるコネクタ部（図示せず）が設けられている。また、このロール状印刷媒体１０３Ａは、自己発色性を有する長尺状のサーマル紙や、ＭＫＰ紙（基材はＰＥＴで、印刷面に感熱層をつけてある）及び円や四角等が連続したプレカットラベル等で構成され、巻芯（図示せず）に巻回されている。
【００３１】
ここで、印刷媒体ホルダ収納部１０４の上側を覆う上カバー１０５が透明樹脂製であることにより、印刷媒体ホルダ収納部１０４に収納される印刷媒体ホルダ１０３に巻回されたロール状印刷媒体１０３Ａの種類が目視により確認できる。また、上カバー１０５の前側略中央部に対向するように透明樹脂製のトレー１０６が立設されているので、コンピュータ装置２からの印刷指令に基づき、所望の文字が印刷されたロール状印刷媒体１０３Ａが、トレー１０６に排出される。また、前側側面部に左右移動可能に設けられてカッターユニット１０８（図４参照）を左右に移動させるカッターレバー１０９を操作すると、印刷されたロール状印刷媒体１０３Ａが所定の長さにカットされ所定形状の粘着材付ラベルが作成される。
【００３２】
また、図３に示すように、所定幅のロール状印刷媒体１０３Ａが巻回された印刷媒体ホルダ１０３の後述する位置決め保持部材１１２の延出部１５６には、略直角内側方向に所定長さ延出される略長四角形の印刷媒体判別部１６０が形成されている。そして、この印刷媒体判別部１６０には、プランジャとマイクロスイッチ等から構成された各印刷媒体判別センサＭＳ１〜ＭＳ５（図６参照）に対向する所定位置に各センサ孔１６０Ａが穿設されている。尚、図３では、５個のセンサ孔１６０Ａが穿設されているが、該センサ孔１６０Ａは装着されたロール状印刷媒体１０３Ａの種類に対応して所定位置に穿設される。ところで、各印刷媒体判別センサＭＳ１〜ＭＳ５は、そのプランジャが常に突き出しており、マイクロスイッチがオフ状態になっている。そして、印刷媒体判別部１６０の各センサ孔１６０Ａが、各印刷媒体判別センサＭＳ１〜ＭＳ５に対向する位置に有る場合には、プランジャが押下されずマイクロスイッチがオフ状態にあるので、オフ信号が出力され、一方、印刷媒体判別部１６０の各センサ孔１６０Ａが、各印刷媒体判別センサＭＳ１〜ＭＳ５に対向する位置に無い場合には、プランジャが押下されてマイクロスイッチがオン状態になるので、オン信号が出力される。
【００３３】
また、図２及び図４に示すように、印刷媒体ホルダ収納部１０４に取り付けられたロール状印刷媒体１０３Ａに印刷するためのラインサーマルヘッド１３１が本体筐体１０２の中（図４参照）に設けられている。そして、ロール状印刷媒体１０３Ａの先端をラインサーマルヘッド１３１に導くための挿入口１１８がラインサーマルヘッド１３１の前部に設けられている。更に、印刷媒体ホルダ収納部１０４の一方の側端縁部の搬送方向前端部には、ラインサーマルヘッド１３１の上下動操作等を行うレバー１２７が設けられている。
【００３４】
この構成で、印刷媒体ホルダ１０３を印刷媒体ホルダ収納部１０４に取り付けてから、レバー１２７を上方に回動させた状態で、ロール状印刷媒体１０３Ａの一方の側端縁部を印刷媒体ホルダ１０３に設けられたガイド部材１２０（図３、図４参照）の内側面に当接させつつ、該ロール状印刷媒体１０３Ａを引き出し、このロール状印刷媒体１０３Ａの他方の側端縁部を挿入口１１８の側端縁部に立設された案内リブ部１２３に当接させつつ挿入口１１８に挿入する。
【００３５】
その後、レバー１２７を下方に回動させることにより、ロール状印刷媒体１０３Ａの印刷媒体ホルダ収納部１０４に印刷媒体ホルダ１０３を取り付けたときに位置決めする機能を有する位置決め保持部材１１２（図３参照）側の側端縁部が挿入口１１８の案内リブ部１２３側に寄せられた状態で基準位置に位置すると共に、該ロール状印刷媒体１０３Ａの先端部がラインサーマルヘッド１３１によってラインサーマルヘッド１３１の対向する位置に設けられたプラテンローラ１２６に押圧され、印刷可能な状態になる。
【００３６】
また、印刷媒体ホルダ収納部１０４の下側には、外部のコンピュータ装置２からの指令により各機構部を駆動制御する制御回路部２１０が設けられている。そして、該プラテンローラ１２６を印刷媒体送りモータ２１９（図８参照）により回転駆動しつつ、該ラインサーマルヘッド１３１を駆動制御することによって、ロール状印刷媒体１０３Ａを搬送しながら印刷面に順次画像データを印刷できる。また、トレー１０６上に排出されたロール状印刷媒体１０３Ａは、カットレバー１０９を図２における右側方向に移動操作することによって、カッターユニット１０８により切断される。
【００３７】
テープ印刷装置１０１は、通信用Ｉ／Ｆ２１８を介してコンピュータ装置２から送られて来る各種のコマンドを受信し、それに応じて処理をするように構成されている。コマンドには、印刷をしてラベルを作成する印刷コマンド、テープ印刷装置１０１に装着されているロール状印刷媒体１０３Ａの種類を通知する媒体種類要求コマンド、等がある。
【００３８】
テープ印刷装置１０１のＣＰＵ２１１は、印刷コマンドの受信と判断すると、印刷コマンドに含まれるビットマップイメージを表すドットパターンデータに基づき、装着されているロール状印刷媒体１０３Ａに対し印刷を行う。
【００３９】
また、テープ印刷装置１０１のＣＰＵ２１１は、媒体種類要求コマンドの受信と判断すると、媒体種類要求コマンドを送信したコンピュータ装置２に対し、通信用Ｉ／Ｆ２１８を介して、テープ印刷装置１０１に装着されているロール状印刷媒体１０３Ａの種類を送信する。
【００４０】
次に、印刷データ編集装置１を構成するコンピュータ装置２の回路構成について図５に基づいて説明する。図５は、本第１実施形態に係る印刷データ編集装置１を構成するコンピュータ装置２の要部の回路構成を示す回路ブロック図である。
図５に示すように、コンピュータ装置２のホストコントローラ４は、ＣＰＵ４１、ＲＯＭ４２、ＲＡＭ４３、入出力インターフェース（Ｉ／Ｆ）４４、通信用インターフェース（Ｉ／Ｆ）４５、フロッピー（登録商標）ディスクコントローラ（ＦＤＣ）４６、フロッピー（登録商標）ディスクドライブ（ＦＤＤ）４７、ハードディスクコントローラ（ＨＤＣ）４８、ハードディスクドライブ（ＨＤＤ）４９、表示装置コントローラ５０、モデム５１等を備えている。また、ＣＰＵ４１、ＲＯＭ４２、ＲＡＭ４３、入出力インターフェース（Ｉ／Ｆ）４４、通信用インターフェース（Ｉ／Ｆ）４５、及びモデム５１は、バス線５２により相互に接続されて、相互にデータのやり取りが行われる。また、入出力Ｉ／Ｆ４４には、ＦＤＤ４７を駆動制御するＦＤＣ４６を介してＦＤＤ４７、ＨＤＤ４９を駆動制御するＨＤＣ４８を介してＨＤＤ４９、及び表示装置コントローラ５０が接続されている。また、モデム５１には通信回線５３が接続されている。
【００４１】
そして、ホストコントローラ４には、入出力Ｉ／Ｆ４４を介して文字や記号等を入力するためのキーボード６、表示装置５の表示画面上の座標を入力するためのマウス７、図面から外形線データ等を取り込むためのイメージスキャナ８、及び印刷用データや印刷制御プログラム等をＣＤ−ＲＯＭ５６に書き込み及び読み込むためのＣＤ−Ｒ／Ｗ９が接続されている。また、ホストコントローラ４には、表示装置コントローラ５０を介してエディタ表示画面（図７等参照）を表示する表示装置５が接続されている。更に、ホストコントローラ４には、通信用Ｉ／Ｆ４５と信号ケーブルＫを介してテープ印刷装置１０１が接続される。
【００４２】
また、ＣＰＵ４１は、コンピュータ装置２全体を制御し、コンピュータ装置２の動作に関する全てのデータを管理する。また、ＲＯＭ４２には、一般のパーソナルコンピュータと同様に電源投入時にコンピュータ装置２を立ち上げてＣＰＵ４１を起動させるための起動プログラムが格納されている。
【００４３】
また、ＲＡＭ４３は、ＣＰＵ４１が種々の制御を実行する際に、各種データを一時的に記憶するメモリであり、表示装置５の画面５Ａに表示される表示イメージを記憶する表示バッファ４３Ａ、ラベルの印刷イメージの元となる編集データを記憶する編集データ記憶エリア４３Ｂ、編集データの中からラベルとなる範囲を表す印刷枠（詳細後述）を複数記憶可能な印刷枠テーブル記憶エリア４３Ｃ、テープ印刷装置１０１に送信するための印刷データを作成する印刷データ記憶エリア４３Ｄ、テープ印刷装置１０１に装着されているテープの種類を記憶する装着テープ種類記憶エリア４３Ｅ、各種の設定値や変数等が記憶される作業用記憶エリア４３Ｆが備わっている。
【００４４】
また、通信用Ｉ／Ｆ４５は、例えば、ＵＳＢ（Ｕｎｉｖｅｒｓａｌ  Ｓｅｒｉａｌ  Ｂｕｓ）インターフェース、セントロニクスインターフェース等から構成され、テープ印刷装置１０１や外部の電子機器（例えば、コンピュータ、レーザプリンタ等）と双方向データ通信が可能になっている。
【００４５】
また、ＨＤＤ４９に装着されるハードディスクには、ＭＳ−ＤＯＳ（登録商標）やウィンドウズ（登録商標）システム等の各種オペレーティングシステム（ＯＳ）に加えて、テープ印刷装置１０１や外部の電子機器に対してデータの送受信を行うための通信用プログラム、当該ＯＳにて実行可能なワープロソフトや印刷用データ作成ソフト等の各種アプリケーションプログラムが必要に応じて格納されると共に、本発明に係る印刷データ作成・編集処理プログラムが記憶格納されている。また、ＣＤ−ＲＯＭ５６に格納される複数種類のラベルデータから構成されるデータファイル等が複数格納されたデータベースや、ロール状印刷媒体１０３Ａの印刷領域に応じて複数の枠が予め割り付けられる複数のテンプレート、等が読み出されて、記憶される。
【００４６】
ＦＤＤ４７に着脱自在に装着されるフロッピー（登録商標）ディスク（ＦＤ）５５には、印刷データ作成・編集処理等にて得られた各種データが格納保存される。
【００４７】
また、ＣＤ−Ｒ／Ｗ９に着脱自在に装着されるＣＤ−ＲＯＭ５６には、印刷データ作成・編集処理の制御プログラム等と共に複数種類のラベルデータから構成されるデータファイル等が複数格納されたデータベースやロール状印刷媒体１０３Ａの印刷領域に応じて複数の枠が予め割り付けられる複数のテンプレート等が記録されて、各種印刷データ編集装置に供給される。
【００４８】
次に、印刷データ編集装置１を構成するテープ印刷装置１０１の回路構成について図６に基づき説明する。図６は、本第１実施形態に係る印刷データ編集装置１を構成するテープ印刷装置１０１の要部の回路構成を示す回路ブロック図である。
テープ印刷装置１０１の制御構成は、不図示の制御基板上に形成される制御回路部２１０を核として構成されている。制御回路部２１０には、各機器を制御するＣＰＵ２１１と、このＣＰＵ２１１にバス線２１２を介して接続された入出力インターフェース２１３、ＲＯＭ２１４、ＲＡＭ２１５、通信用インターフェース（Ｉ／Ｆ）２１８とを備えて構成されている。
【００４９】
また、ＲＯＭ２１４には、コンピュータ装置２から入力され後述する印刷バッファに格納された印刷データを読み出してラインサーマルヘッド１３１、印刷媒体送りモータ２１９を印刷媒体判別センサＭＳ１〜ＭＳ５で検出したロール状印刷媒体１０３Ａの情報に合わせた適正な駆動電流で駆動する印刷駆動制御プログラム、各印刷ドットの形成エネルギ量に対応するパルス数を決定するパルス数決定プログラム、その他テープ印刷装置１０１の制御上必要な各種のプログラムが格納されている。そして、ＣＰＵ２１１は、かかるＲＯＭ２１４に記憶されている各種プログラムに基づいて各種の演算を行うものである。
【００５０】
更に、ＲＡＭ２１５には、コンピュータ装置２から入力された印刷コマンドが備えるドットパターンデータ形式の印刷データを格納する印刷バッファ２１６、パラメータ記憶エリア２１７等が設けられている。ラインサーマルヘッド１３１はかかる印刷バッファ２１６に記憶されているドットパターンデータに従ってドット印刷を行う。また、パラメータ記憶エリア２１７には、各種演算データが記憶される。
【００５１】
また、入出力インターフェース２１３には、ロール状印刷媒体１０３Ａに合わせて印刷媒体送りモータ２１９を適正な駆動電流で駆動するための情報を検出する印刷媒体判別センサＭＳ１〜ＭＳ５と、ラインサーマルヘッド１３１を駆動するための駆動回路２２０と、印刷媒体送りモータ２１９を印刷媒体判別センサＭＳ１〜ＭＳ５で検出したロール状印刷媒体１０３Ａの情報に合わせた適正な駆動電流で駆動するための駆動回路２２１とが各々接続されている。
【００５２】
また、バス線２１２に接続された通信用Ｉ／Ｆ２１８は、例えば、ＵＳＢ（Ｕｎｉｖｅｒｓａｌ  Ｓｅｒｉａｌ  Ｂｕｓ）インターフェース、セントロニクスインターフェース等から構成され、コンピュータ装置２と双方向データ通信が可能になっている。
よって、コンピュータ装置２から通信用Ｉ／Ｆ２１８を介して印刷コマンドが入力された場合、その印刷コマンドが備える印刷データが印刷バッファ２１６に順次記憶されるとともに、ラインサーマルヘッド１３１は、駆動回路２２０を介して駆動され、印刷バッファ２１６に記憶されたドットパターンデータの印刷を行い、これと同期して印刷媒体送りモータ２１９は、駆動回路２２１を介して適正な駆動電流でロール状印刷媒体１０３Ａの搬送制御を行うものである。ここに、ラインサーマルヘッド１３１は、駆動回路２２０を介して各発熱素子が１ライン分の印刷ドットに対応して選択的に発熱駆動されることによって、文字等をロール状印刷媒体１０３Ａ上に印刷するものである。
【００５３】
次に、コンピュータ装置２において、表示装置５の画面５Ａに表示されるエディタ表示画面について説明する。図７はエディタ表示画面を示すイメージ図である。
図７に示すようなエディタ表示画面５Ｂは、ＨＤＤ４９に装着されたハードディスクに記憶され、本発明に係る印刷データ作成・編集処理プログラムを実行した時に中心的に表示される画面である。
【００５４】
図７に示すように、エディタ表示画面５Ｂの最上部には、「ＰＴ−ＰＣ  Ｅｄｉｔｏｒ−［レイアウト］」との記載のあるタイトルバーがある。そのタイトルバーの右端には、小さいボタンが横並びに３つ存在する。左から、最小化ボタン、最大化ボタン、終了ボタンである。終了ボタンをクリックするとエディタ表示画面５Ｂは閉じる。
【００５５】
エディタ表示画面５Ｂのタイトルバーの下には、メニューバーがあり、左からファイル（Ｆ）メニュー、編集（Ｅ）メニュー、表示（Ｖ）メニュー、挿入（Ｉ）メニュー、書式（Ｏ）メニュー、ツール（Ｔ）メニュー、レイアウト（Ｌ）メニュー、ウィンドウ（Ｗ）メニュー、ヘルプ（Ｈ）メニューがある。
【００５６】
エディタ表示画面５Ｂの中央から右下隅にかけてラベル作成作業領域５Ｃが表示される。ラベル作成作業領域５Ｃには、縦長の封書を横向きにした封書のイメージが表示されている。この封書のイメージは、特殊なイメージであり、印刷しようとした時に、通常のイラスト等のイメージであれば印刷されるが、このイメージは印刷されない（以後、このように印刷されないイメージを背景テーマと呼ぶことにする）。尚、所定の操作により、背景テーマは、表示／非表示を切り換えることができる。また、通常のイラストであれば、不図示のイラストボックスに囲まれているので、背景テーマか否かの区別は可能である。
【００５７】
その封書のイメージの左上部分には、点線の四角にて示されるテキストボックス５Ｐがあり、テキストボックス５Ｐの中には、１行目に「〒４６７−ＸＸＸＸ」、２行目に「名古屋市瑞穂区ＸＸ町１−１−１」、３行目に「兄弟機械（株）」、４行目に「総務部  兄弟  太郎 様」との文字が表示されている。
【００５８】
また、テキストボックス５Ｐを囲むように破線の四角にて示される印刷枠１０が表示されている。印刷枠１０は印刷範囲を示しており、印刷媒体の何れかのサイズに対応している。この印刷枠１０の四隅と各辺の中点には、小さい四角で示されるハンドル５Ｚがそれぞれ示されている。これをドラッグ＆ドロップすることにより印刷枠１０の拡大・縮小ができる。プレカットラベルに対応する印刷枠１０では、プレカットラベルの何れかのサイズへの拡大・縮小（換言すれば、プレカットラベルの種類の変更）が可能である。長尺ロールテープに対応する印刷枠１０では、テープの幅方向に対しては、長尺ロールテープの何れかのサイズへの拡大・縮小（換言すれば、長尺ロールテープの種類の変更）が可能であり、テープの長手方向に対しては、拡大・縮小は自由に行うことができる。
ハンドル５Ｚが表示されている場合、そのハンドル５Ｚを備えている印刷枠１０は、選択状態にあることを示している。
【００５９】
封書のイメージの右下部分には、点線の四角にて示されるテキストボックス５Ｑがあり、テキストボックス５Ｑの中には、１行目に「〒１０４−ＸＸＸＸ」、２行目に「東京都中央区○○３−８−９」、３行目に「姉妹商事（株）  営業部  姉妹  花子」との文字が表示されている。
また、テキストボックス５Ｑを囲むように破線の四角にて示される印刷枠１０が表示されている。この印刷枠１０は、ハンドル５Ｚを備えておらず、よって選択状態にはない。
【００６０】
また、エディタ表示画面５Ｂの左下には印刷媒体選択エリア５Ｄが表示されている。図７に示す印刷媒体選択エリア５Ｄには、最上部の左側にプレカットラベルを象った横長の四角いイメージのアイコンが表示され、右側に「１７ｍｍ×５４ｍｍ」の文字が表示されている。それらの下には、左側に、プレカットラベルを象り上の四角よりも平たい横長の四角いイメージのアイコンが表示され、右側に「１７ｍｍ×８７ｍｍ」の文字が表示されている。それらの下には、左側に、プレカットラベルを象り上の四角よりも縦に長い横長の四角いイメージのアイコンが表示され、右側に「２９ｍｍ×９０ｍｍ」の文字が表示されている。それらの下には、左側に、プレカットラベルを象り上の四角よりもさらに縦に長い横長の四角いイメージのアイコンが表示され、右側に「３８ｍｍ×９０ｍｍ」の文字が表示されている。
【００６１】
それらの下には、左側に、プレカットラベルを象り縦長の四角いイメージのアイコンが表示され、右側に「６２ｍｍ×２９ｍｍ」の文字が表示されている。それらの下には、左側に、プレカットラベルを象り再び横長の四角いイメージのアイコンが表示され、右側に「６２ｍｍ×１００ｍｍ」の文字が表示されている。
【００６２】
それらの下には、左側に、長尺ロールテープを象った細長い横長の四角であって右端が破れたようなイメージのアイコンが表示され、右側に「１２ｍｍ幅ロール」の文字が表示されている。それらの下には、左側に、長尺ロールテープを象り上のイメージより縦に長い横長の四角であって右端が破れたようなイメージのアイコンが表示され、右側に「１８ｍｍ幅ロール」の文字が表示されている。それらの下には、左側に、長尺ロールテープを象り上のイメージより縦に長い横長の四角であって右端が破れたようなイメージのアイコンが表示され、右側に「２４ｍｍ幅ロール」の文字が表示されている。それらの下には、左側に、長尺ロールテープを象り上のイメージより縦に長い横長の四角であって右端が破れたようなイメージのアイコンが表示され、右側に「２９ｍｍ幅ロール」の文字が表示されている。
【００６３】
印刷媒体選択エリア５Ｄには、右側にスクロールバーが表示されており、上述した他にも、アイコンと文字列との組はあり、スクロールバーを操作することにより、それらを表示することができる。
【００６４】
印刷媒体選択エリア５Ｄには、上記のようにロール状印刷媒体１０３Ａのプレカットラベルまたは長尺ロールテープの形状を示すアイコンと文字による説明からなる組が複数組表示されている。それらから印刷媒体の種類を選択してラベル作成作業領域５Ｃに印刷範囲を示す印刷枠１０を設定できる。それには、操作者は、先ず印刷媒体選択エリア５Ｄにあるアイコンをマウスによってドラッグする。その時、アイコンは、ダミーのアイコンを表示し、ドラッグでは、そのダミーのアイコンがマウスの動きに連れて移動する。ラベル作成作業領域５Ｃの所望の位置にてダミーのアイコンをドロップする。それにより、ラベル作成作業領域５Ｃ上に印刷枠１０を設定できる。
選択された印刷枠１０がある状態にて操作者が印刷媒体選択エリア５Ｄにあるアイコンをマウスによってクリックした時は、選択されている印刷枠１０はアイコンに対応する印刷媒体の種類の印刷枠１０に変わる。また、選択された印刷枠１０がない場合にて操作者が印刷媒体選択エリア５Ｄにあるアイコンをマウスによりクリックした時は、アイコンに対応する印刷媒体の種類の印刷枠１０が追加される。その時、ラベル作成作業領域５Ｃに印刷枠１０がない場合は、ラベル作成作業領域５Ｃの左上に印刷枠１０が表示され、ラベル作成作業領域５Ｃに印刷枠１０がある場合は、ラベル作成作業領域５Ｃの内、既にある印刷枠１０と重ならない場所に印刷枠１０が表示される。
【００６５】
また、エディタ表示画面５Ｂの上側中央には印刷媒体変更リストボックス５Ｆが表示されている。図７に示す印刷媒体変更リストボックス５Ｆには、「２９ｍｍ」が表示されている。ラベル作成作業領域５Ｃにおいて選択状態にある印刷枠１０に対応しており、印刷媒体変更リストボックス５Ｆにより、ラベル作成作業領域５Ｃに設定された印刷枠の印刷媒体の種類が変更、即ち、印刷範囲のサイズを変更できる。尚、ラベル作成作業領域５Ｃにおいて、印刷枠１０が選択されていない場合は、印刷媒体変更リストボックス５Ｆには、何も表示されない。２つ以上の印刷枠１０が同時に選択されている時も、印刷媒体変更リストボックス５Ｆには、何も表示されない。また、プレカットラベルに対応する印刷枠１０が選択されている場合は、例えば、「１２ｍｍ  Ｄｉａ」や「１７ｍｍ×５４ｍｍ」といった表示がされ、単に、長尺ロールテープの幅が表示される訳ではない。
【００６６】
印刷媒体変更リストボックス５Ｆの上には、テープ長さ指定スピンボックス５Ｇがある。図７に示すテープ長さ指定スピンボックス５Ｇには、「６０ｍｍ」が表示されている。テープ長さ指定スピンボックス５Ｇは、ラベル作成作業領域５Ｃにおいて選択状態にある印刷枠１０に対応しており、ラベル作成作業領域５Ｃに設定された印刷枠が長尺ロールテープに対応する印刷枠である場合に、長尺ロールテープの長手方向に対する印刷範囲の長さを変更できる。尚、ラベル作成作業領域５Ｃにおいて、印刷枠１０が選択されていない場合、及び、長尺ロールテープに対応する印刷枠１０が選択されていない場合は、テープ長さ指定スピンボックス５Ｇには、何も表示されない。２つ以上の印刷枠１０が同時に選択されている時も、テープ長さ指定スピンボックス５Ｇには、何も表示されない。
また、印刷媒体変更リストボックス５Ｆの右方向の並びには、テープ作成作業領域５Ｃに対して、印刷枠１０が配置される向きが変更になるテープ横置きボタン５Ｖ、テープ縦置きボタン５Ｙがある。これら２つのボタンは印刷枠１０が１つだけ選択された状態においていずれか一方のみが選択状態にあり、印刷枠１０の向きに連動している。図７では、テープ横置きボタン５Ｖが選択状態にあり、印刷枠１０は横長の向きに配置されている。この時、テープ縦置きボタン５Ｙを選択状態にすると、印刷枠１０は縦長の向きに配置が切り替わる。
【００６７】
テープ長さ指定スピンボックス５Ｇの上には、テンプレート選択リストボックス５Ｈがある。ここに、テンプレートとは、レイアウトのテンプレート（雛形）であり、そのレイアウトは、ラベル作成作業領域５Ｃに設定する編集データを作成するに際し、テキストやイラスト、印刷範囲を示す印刷枠等の配置位置を備えている。テンプレートは、予め用意されており、操作者がそれを用いて編集データを作成することにより、楽に素早く編集データを作成することができる。テンプレートは複数あるので、テンプレート選択リストボックス５Ｈでは、テンプレートを選択することができる。テンプレート選択リストボックス５Ｈでは、その右端にある下三角のボタンをクリックした場合に各テンプレートを示す文字列のリストが表示され、操作者はそこから選択する。
図７に示すテンプレート選択リストボックス５Ｈには、「封書１」が表示されている。尚、何もテンプレートが選択されていない場合は、「通常フォーマット」の文字が表示される（図１６参照）。
【００６８】
テンプレート選択リストボックス５Ｈの右には、テンプレート選択ボタン５Ｊがある。テンプレート選択ボタン５Ｊでは、テンプレート選択リストボックス５Ｈと同様に、テンプレートを選択することができる。テンプレート選択ボタン５Ｊをクリックすると、図１１を用いて後述するテンプレート選択画面３１０が表示される。テンプレート選択リストボックス５Ｈでは、操作者は各テンプレートを示す文字列のリストから所望のテンプレートを選択していたのに対し、このテンプレート選択画面３１０（図１１参照）では、レイアウトが視覚的に認識されるようにイメージにて表示される。
【００６９】
エディタ表示画面５Ｂに表示されている印刷媒体選択エリア５Ｄの上には、ロール状印刷媒体１０３Ａに印刷するための印刷指示が出される印刷ボタン５Ｌが表示されている。そして、エディタ表示画面５Ｂ内で後述する印刷枠１０を移動させる等の作業を行うマウスカーソル７Ａが表示されている。
【００７０】
次に、テープ印刷装置１０１によって作成されるラベルについて説明する。図８及び図９は、ラベルを示す模式図である。
【００７１】
図８は、図７に示すエディタ表示画面５Ｂにおいて、印刷ボタン５Ｌをクリックした場合に、テープ印刷装置１０１が作成するラベル５Ｍを示している。図８に示すように、ラベル５Ｍには、１行目に「〒４６７−ＸＸＸＸ」、２行目に「名古屋市瑞穂区ＸＸ町１−１−１」、３行目に「兄弟機械（株）」、４行目に「総務部  兄弟  太郎 様」との文字が印刷されている。ラベル５Ｍのサイズは、縦が２９ｍｍ、横が６０ｍｍである。
【００７２】
図９は、図７に示すエディタ表示画面５Ｂにおいて、ラベル作成作業領域５Ｃの右下部分にある印刷枠１０を選択状態にし、印刷ボタン５Ｌをクリックした場合に、テープ印刷装置１０１が作成するラベル５Ｎを示している。図９に示すように、ラベル５Ｎには、１行目に「〒１０４−ＸＸＸＸ」、２行目に「東京都中央区○○３−８−９」、３行目に「姉妹商事（株）  営業部  姉妹  花子」との文字が印刷されている。ラベル５Ｎのサイズは、縦が１８ｍｍ、横が５２ｍｍである。
【００７３】
次に、コンピュータ装置２において、表示装置５の画面５Ａに表示されるレイアウト初期化方法選択画面について説明する。図１０はレイアウト初期化方法選択画面を示すイメージ図である。
【００７４】
レイアウト初期化方法選択画面３００は、ＨＤＤ４９に装着されたハードディスクに記憶され、本発明に係る印刷データ作成・編集処理プログラムを実行する度に毎回最初に表示される。図１０に示すように、レイアウト初期化方法選択画面３００の最上部には、タイトルバー３０１があり、「レイアウト初期化方法選択」と表示されている。レイアウト初期化方法選択画面３００の下には、３つの選択肢を有するレイアウト初期化方法選択用ラジオボタンがあり、一番上の選択肢には、「編集ファイルから読み込む」との表示がある。その下の選択肢には、「テンプレートから読み込む」との表示がある。一番下の選択肢には、「プリンタに装着されているテープを使用」との表示がある。
【００７５】
ここに、「編集ファイルから読み込む」という選択肢は、ラベルの編集データを作成するに際し、既に出来上がっているラベルの編集データを利用して、新しいラベルの編集データを作成するため、ラベルの編集データが保存してある編集ファイルを指定して、編集データを読み出すことを示している。また、「テンプレートから読み込む」という選択肢は、ラベルの編集データを作成するに際し、レイアウトのテンプレートを利用してラベルの編集データを作成するために、レイアウトのテンプレートを指定してテンプレートを読み出すことを示している。また、「プリンタに装着されているテープを使用」という選択肢は、プリンタに装着されているテープの外形イメージを表示することを示している。操作者はそこに対しバランス良く文字列やイラスト等を配置することによりラベルの編集データを作成する。
【００７６】
図１０に示すレイアウト初期化方法選択画面３００では、一番上の選択肢が選択状態にあるが、表示された直後のレイアウト初期化方法選択画面３００もまた図１０に示すように一番上の選択肢が選択状態にある。レイアウト初期化方法選択用ラジオボタンは、ラジオボタンであるので、どれか１つのみが選択状態にあり、選択肢をクリックすることにより選択状態が移る。
【００７７】
レイアウト初期化方法選択用ラジオボタンの下には、左側にＯＫボタン３０２、右側にＣｌｏｓｅボタン３０３がある。ＯＫボタン３０２がクリックされた場合は、レイアウト初期化方法選択用ラジオボタンの選択状態が確定され、レイアウト初期化方法選択画面３００が閉じた後、選択された状態に合わせて画面が表示される。Ｃｌｏｓｅボタン３０３がクリックされた場合は、レイアウト初期化方法選択画面３００が閉じた後、後述する図１６に示すエディタ表示画面５Ｂが表示される。この時、テープ作成作業領域５Ｃには、何も表示されない。
【００７８】
次に、コンピュータ装置２において、表示装置５の画面５Ａに表示されるテンプレート選択画面について説明する。図１１はテンプレート選択画面を示すイメージ図である。
図１１に示すようなテンプレート選択画面３１０は、図１０に示すレイアウト初期化方法選択画面３００から移行する画面の１つであり、レイアウト初期化方法選択ラジオボタンにて「テンプレートから読み込む」が選択された状態にＯＫボタン３０２がクリックされた場合に表示される画面である。また、エディタ表示画面５Ｂのテンプレート選択ボタン５Ｊ（図７参照）をクリックすることによっても、テンプレート選択画面３１０は表示される。
【００７９】
図１１に示すように、テンプレート選択画面３１０の最上部には、「テンプレート選択」との表示があるタイトルバー３１１がある。その下には、レイアウトのテンプレートを選択するテンプレート選択欄３１２がある。テンプレート選択欄３１２では、複数のテンプレートの中からテンプレートを選ぶことができる。図１１に示すテンプレート選択画面３１０には、上側にテンプレート３１３、下側にテンプレート３１４が表示されている。
【００８０】
テンプレート表示欄３１３は、封書に対応したテンプレートを表示しており、横長の封筒のイメージとそのイメージ上の左上部分に宛名ラベルがあって、右下部分に差出人ラベルとがある。宛名ラベルには、所定のサイズ、所定の書体にて横書きの文字が４行に渡って表示されている例が示されている。差出人ラベルには、宛名ラベルよりも小さいサイズであり、宛名ラベルと同じ書体にて横書きの文字が３行に渡って表示されている例が示されている。封筒のイメージの右には、「封書５」の文字が表示され、このテンプレートの名称を示している。その下には、「３６ｍｍテープ」と「１８ｍｍテープ」の文字があり、このテンプレートに使用される印刷媒体の種類を示している。宛名ラベルの方が差出人ラベルよりも縦に長いので、宛名ラベルが３６ｍｍテープ、差出人ラベルが１８ｍｍテープに対応していると読み取れる。
【００８１】
テンプレート表示欄３１４は、ＣＤに対応したテンプレートを表示しており、ドーナツ型のＣＤ本体のイメージとその右にＣＤを入れるＣＤケースのイメージがある。ＣＤ本体のイメージ上には、ドーナツ型のＣＤラベルがあり、ＣＤケース本体のイメージ上にはタイトルラベルがある。ＣＤラベルには、所定のサイズ、所定の書体にて横書きの文字が２行に渡って表示されている例が示されている。タイトルラベルには、ＣＤラベルと同じ文字サイズであり、宛名ラベルと同じ書体にて横書きの文字が２行に渡って表示されている例が示されている。ＣＤケースのイメージの右には、「ＣＤ／ＣＤケース」の文字が表示され、このテンプレートの名称を示している。その下には、「５８ｍｍＤｉａ  ＣＤラベル」と「１８ｍｍテープ」の文字があり、このテンプレートに使用される印刷媒体の種類を示している。ＣＤラベルが５８ｍｍＤｉａ  ＣＤラベル、タイトルラベルが２４ｍｍテープに対応している。
【００８２】
各テンプレート表示欄に表示されるイメージは、実際のサイズとは異なり、縮小されたイメージである。また、各テンプレート表示欄は四角によって囲われているが、選択中のテンプレート表示欄を囲む四角は、他のテンプレート表示欄を囲む四角よりも太い線にて表示される。図１１に示す例では、テンプレート表示欄３１３が選択状態にある。
【００８３】
テンプレート選択欄３１２には、スクロールバーが備わっており、これを操作することにより他のテンプレートを表示することができる。
【００８４】
テンプレート選択欄３１２の下には、左側にＯＫボタン３１５、右側にＣｌｏｓｅボタン３１６がある。ＯＫボタン３１５がクリックされた場合は、テンプレート選択欄３１２の選択状態が確定され、テンプレート選択画面３１０が閉じた後、図９に示すようなエディタ表示画面５Ｂが表示され選択されたテンプレートがテープ作成作業領域５Ｃに表示される。Ｃｌｏｓｅボタン３１６がクリックされた場合は、テンプレート選択画面３１０が閉じた後、後述する図１６に示すエディタ表示画面５Ｂが表示される。この時、テープ作成作業領域５Ｃには、何も表示されない。
【００８５】
次に、印刷データ編集装置１を構成するコンピュータ装置２における処理について、図１２乃乃至図１４を参照して説明する。図１２は、メイン処理を示すフローチャートである。図１３は、初期表示選択処理のフローチャートである。図１４は、印刷処理のフローチャートである。尚、以下の処理は全てＣＰＵ４１により実行される。
【００８６】
図１２に示すフローチャートは、ＨＤＤ４９に装着されるハードディスクに記憶されている印刷データ作成・編集処理プログラムがＣＰＵ４１により実行された時に行われる処理を示す。
【００８７】
図１２に示すように、ステップ（以下、Ｓと略記する）１において、ＲＡＭ４３の各領域が初期化される等の初期化処理が行われる。その後、Ｓ２に移行する。
【００８８】
Ｓ２では、コンピュータ装置２と接続されているテープ印刷装置１０１からテープ印刷装置１０１に装着されているロール状印刷媒体１０３Ａの種類を取得する。それには、テープ印刷装置１０１に対し、ケーブルＫを介して装着されているロール状印刷媒体１０３Ａの種類を通知させる媒体種類要求コマンドが送信される。それに応じ、テープ印刷装置３からロール状印刷媒体１０３Ａの種類が送り返されてくるので、ケーブルＫを介してそれが受信される。送り返されたロール状印刷媒体１０３Ａの種類は、ＲＡＭ４３の装着テープ種類記憶エリア４３Ｅに記憶される。その後、Ｓ３に移行する。
【００８９】
Ｓ３では、初期表示選択処理が行われる。ここでは、図７に示すようなエディタ表示画面５Ｂの表示に先立ち、図１０に示すようなレイアウト初期化方法選択画面３００を表示してレイアウトの初期化方法を操作者に選択させる。
【００９０】
ここで、一旦図１２を参照してのメイン処理の説明を中断し、Ｓ３において呼び出される初期表示選択処理について図１３を参照して説明する。
【００９１】
図１３に示すように、Ｓ３０では、表示装置コントローラ５０を介して表示装置５の画面５Ａに図１０に示すようなレイアウト初期化方法選択画面３００が表示される。レイアウト初期化方法選択画面３００が表示された時点には、レイアウト初期化方法選択用ラジオボタンは、「編集ファイルから読み込む」が選択されている。その後、Ｓ３１に移行する。
【００９２】
Ｓ３１では、入力が受け付けられる。その後、Ｓ３２に移行する。
【００９３】
Ｓ３２では、レイアウト初期化方法選択画面３００において、レイアウト初期化方法選択用ラジオボタンの何れかがマウス７によりクリックされたか否かが判断される。クリックされたと判断した場合（Ｓ３２：ＹＥＳ）はＳ３３に移行し、クリックされなかったと判断した場合（Ｓ３２：ＮＯ）はＳ３４に移行する。Ｓ３３では、クリックされた選択肢を選択状態にし、選択状態にあった選択肢を非選択状態にするように表示を切り換える。その後、Ｓ３１に移行して再びＳ３１以降の処理を繰り返す。Ｓ３４では、Ｃｌｏｓｅボタン３０３がマウス７によりクリックされたか否かが判断される。クリックされたと判断した場合（Ｓ３４：ＹＥＳ）は、Ｓ４５に移行する。Ｓ４５では、レイアウト初期化方法選択画面３００を閉じ、後述する図１６に示すエディタ表示画面５Ｂが表示される。この時、テープ作成作業領域５Ｃには、何も表示されない。そして、図１２のメイン処理に戻り、Ｓ４に移行する。Ｓ３４において、Ｃｌｏｓｅボタン３０３がマウス７によりクリックされなかったと判断した場合（Ｓ３４：ＮＯ）は、Ｓ３５に移行する。Ｓ３５では、ＯＫボタン３０２がマウス７によりクリックされたか否かが判断される。クリックされたと判断した場合（Ｓ３５：ＹＥＳ）は、Ｓ３６に移行し、クリックされなかったと判断した場合（Ｓ３５：ＮＯ）は、Ｓ３１に移行して再びＳ３１以降を繰り返す。
【００９４】
Ｓ３６では、レイアウト初期化方法選択画面３００において、レイアウト初期化方法選択用ラジオボタンは、「編集ファイルから読み込む」とする選択肢が選択状態にあるか否かが判断される。「編集ファイルから読み込む」とする選択肢が選択状態にあると判断した場合（Ｓ３６：ＹＥＳ）は、Ｓ３７に移行し、「編集ファイルから読み込む」とする選択肢が選択状態にないと判断した場合（Ｓ３６：ＮＯ）は、Ｓ４０に移行する。
【００９５】
Ｓ３７では、レイアウト初期化方法選択画面３００が閉じられ、替わって不図示の編集ファイル選択画面が表示される。編集ファイルは、ＯＳの備えるファイルシステムのファイルであり、そのファイルシステムは、木構造のディレクトリ構造を有している。不図示の編集ファイル選択画面は、ディレクトリ構造が視覚的に分かるように構成されていると共に、ディレクトリを選択し、そのディレクトリ内の編集ファイルを選択するように構成されている。その後、Ｓ３８に移行する。
【００９６】
Ｓ３８では、操作者による操作が受け付けられる。それにより操作者により既にある編集ファイルの中から編集ファイルが選択される。その後、Ｓ３９に移行する。
【００９７】
Ｓ３９では、Ｓ３８において選択された編集ファイルが読み込まれる。その後、Ｓ４５に移行する。
【００９８】
Ｓ３９から移行して来た場合のＳ４５では、Ｓ３９において読み込まれた編集ファイルの内容に基づき、図７に示すようなエディタ表示画面５Ｂが表示される。その場合、テープ作成作業領域５Ｃには、編集ファイルに保存された時の状態のラベルの編集データが表示される。その後、図１２のメイン処理に戻り、Ｓ４に移行する。
【００９９】
次に、Ｓ３６において「編集ファイルから読み込む」とする選択肢が選択状態にないと判断した場合（Ｓ３６：ＮＯ）に移行するＳ４０について説明する。
【０１００】
Ｓ４０では、レイアウト初期化方法選択画面３００において、レイアウト初期化方法選択用ラジオボタンは、「テンプレートから読み込む」とする選択肢が選択状態にあるか否かが判断される。「テンプレートから読み込む」とする選択肢が選択状態にあると判断した場合（Ｓ４０：ＹＥＳ）は、Ｓ４１に移行し、「テンプレートから読み込む」とする選択肢が選択状態にないと判断した場合（Ｓ４０：ＮＯ）は、Ｓ４４に移行する。
【０１０１】
Ｓ４１では、レイアウト初期化方法選択画面３００が閉じられ、替わって図１１に示すようなテンプレート選択画面３１０が表示される。この時、テンプレート選択欄３１２においては、先頭のテンプレートと２番目のテンプレートが表示され、先頭のテンプレートが選択状態にある。その後、Ｓ４２に移行する。
【０１０２】
Ｓ４２では、操作者による操作が受け付けられる。それにより操作者によりテンプレートが選択される。その後、Ｓ４３に移行する。
【０１０３】
Ｓ４３では、Ｓ４２において選択されたテンプレートが読み込まれる。その後、Ｓ４５に移行する。
【０１０４】
Ｓ４３から移行して来た場合のＳ４５では、Ｓ４３において読み込まれたテンプレートの内容に基づき、後述する図１５に示すようなエディタ表示画面５Ｂが表示される。図１５は、「封書１」という名称のテンプレートが選択された場合のエディタ表示画面５Ｂである。そして、テープ作成作業領域５Ｃのテキストボックスには、何も入力がされていない。このように、テンプレートを選択してエディタ表示画面５Ｂが表示される場合は、テキストボックスや不図示のイラストボックス等、操作者が所望の入力値を設定する欄は、空欄にて表示される。その後、図１２のメイン処理に戻り、Ｓ４に移行する。
【０１０５】
次に、Ｓ４０において「テンプレートから読み込む」とする選択肢が選択状態にないと判断した場合（Ｓ４０：ＮＯ）に移行するＳ４４について説明する。
【０１０６】
Ｓ４４へは、レイアウト初期化方法選択画面３００において、レイアウト初期化方法選択用ラジオボタンが、「プリンタに装着されているテープを使用」との選択肢が選択状態にある場合に移行する。Ｓ４４では、テープ印刷装置１０１に装着してあるロール状印刷媒体１０３Ａに対応する印刷枠１０をエディタ表示画面５Ｂのテープ作成作業領域５Ｃに表示するという設定がされる。その後、Ｓ４５に移行する。
【０１０７】
Ｓ４４から移行して来た場合のＳ４５では、Ｓ４４においてなされた、「テープ印刷装置１０１に装着してあるロール状印刷媒体１０３Ａに対応する印刷枠１０をエディタ表示画面５Ｂのテープ作成作業領域５Ｃに表示するという設定」を受けて、エディタ表示画面５Ｂが表示される。この時に表示されるエディタ表示画面５Ｂでは、テープ作成作業領域５Ｃには、その左上部分にロール状印刷媒体１０３Ａに対応する印刷枠１０が表示されているのみである。ロール状印刷媒体１０３Ａがプレカットラベル用のロール状印刷媒体１０３Ａである場合は、その印刷枠１０の形状は、プレカットラベルの外形形状と同じ形状であり、その印刷枠１０のサイズは、実際のプレカットラベルのサイズと同じサイズである。
【０１０８】
ロール状印刷媒体１０３Ａが長尺ロールテープである場合は、その印刷枠１０の形状は、長尺ロールテープの長手方向の長さが既定値１００ｍｍに切断した長尺ロールテープの外形形状と同じ形状であり、その印刷枠１０のサイズは、長尺ロールテープの長手方向の長さが既定値１００ｍｍに切断した長尺ロールテープの実際のサイズと同じサイズである。尚、テープ作成作業領域５Ｃの表示倍率が１００％でない場合は、表示倍率に応じてサイズが変更になる。
【０１０９】
図１２のＳ２において読み取った装着テープの種類は、ＲＡＭ４３の装着テープ種類記憶エリア４３Ｅに記憶されているので、印刷枠１０を表示するに際しては、装着テープ種類が装着テープ種類記憶エリア４３Ｅから読み出される。
【０１１０】
また、印刷媒体変更リストボックス５Ｆには、図１２のＳ２においてテープ印刷装置１０１から取得するのでなく、Ｓ４４においてテープ印刷装置１０１から取得するように構成してもよい。
【０１１１】
また、印刷媒体変更リストボックス５Ｆには、装着テープ種類が表示される。テープ長さ指定スピンボックス５Ｇには、ロール状印刷媒体１０３Ａがプレカットラベルの場合は、何も表示されず、ロール状印刷媒体１０３Ａが長尺ロールテープである場合は、既定値の１００ｍｍが表示される。その後、図１２のメイン処理に戻り、Ｓ４に移行する。
【０１１２】
再び、図１２に戻り、Ｓ４から説明を再開する。
【０１１３】
Ｓ４では、入力が受け付けられる。その後、Ｓ５に移行する。
【０１１４】
Ｓ５では、終了操作か否かが判断される。これには、エディタ表示画面５Ｂの終了ボタンがクリックされたか否か、或いは、メニューバーのファイル（Ｆ）メニューの下位のメニューから終了メニューが選択されたか否か等が判断される。終了操作と判断された場合（Ｓ５：ＹＥＳ）は、エディタ表示画面５Ｂを閉じ、メイン処理を終了する。終了操作と判断されなかった場合（Ｓ５：ＮＯ）は、Ｓ６に移行する。
【０１１５】
Ｓ６では、印刷枠１０の作成操作か否かが判断される。これには、エディタ表示画面５Ｂにおいて、印刷媒体選択エリア５Ｄにあるアイコンのダミー表示（不図示）がマウス７によってテープ作成作業領域５Ｃまでドラッグされてドロップされたか否かが判断される。印刷枠１０の作成操作と判断された場合（Ｓ６：ＹＥＳ）はＳ７に移行し、印刷枠１０の作成操作と判断されなかった場合（Ｓ６：ＮＯ）は、Ｓ８に移行する。
【０１１６】
Ｓ７では、エディタ表示画面５Ｂのテープ作成作業領域５Ｃに印刷枠１０が表示される。その時、印刷枠１０の表示位置は、アイコンのダミー表示（不図示）がマウス７によってドロップされた位置である。また、そのアイコンに対応するロール状印刷媒体１０３Ａがプレカットラベル用のロール状印刷媒体１０３Ａである場合は、その印刷枠１０の形状は、プレカットラベルの外形形状と同じ形状であり、その印刷枠１０のサイズは、実際のプレカットラベルのサイズと同じサイズである。
【０１１７】
また、そのアイコンに対応するロール状印刷媒体１０３Ａが長尺ロールテープである場合は、その印刷枠１０の形状は、長尺ロールテープの長手方向の長さが既定値１００ｍｍに切断した長尺ロールテープの外形形状と同じ形状であり、その印刷枠１０のサイズは、長尺ロールテープの長手方向の長さが既定値１００ｍｍに切断した長尺ロールテープの実際のサイズと同じサイズである。表示装置の仕様等により実際のサイズと若干異なっていてもよい。尚、テープ作成作業領域５Ｃの表示倍率が１００％でない場合は、表示倍率に応じてサイズが変更になる。
【０１１８】
また、新しく作成された印刷枠１０に関する印刷枠情報は、不図示の印刷枠テーブルに格納され、印刷枠テーブルはＲＡＭ４３の印刷枠テーブル記憶エリア４３Ｂに記憶される。印刷枠テーブルは、印刷枠情報が印刷枠の作成順に複数記憶できるように構成されている。印刷枠情報は、印刷枠１０に対応するロール状印刷媒体１０３Ａの種類、印刷枠１０のサイズ、印刷枠１０の位置、印刷枠１０の方向、印刷枠１０が選択状態にあるか否かを示す選択フラグ、等からなる。尚、印刷枠１０は、作成直後は、選択状態にあるので、選択フラグはＯＮである。
【０１１９】
印刷枠１０が作成される度に、印刷枠情報が１つ不図示の印刷枠テーブルに追加される。その時、その印刷枠情報の選択フラグはＯＮにされ、その他に印刷枠１０がある場合、その印刷枠１０に対応する印刷枠情報の選択フラグはＯＦＦにされる。尚、その他の印刷枠１０に対応する印刷枠情報の選択フラグは、印刷枠１０の追加があった場合にＯＦＦにならない仕様も考えられる。
【０１２０】
その後、Ｓ４に移行し、Ｓ４以降の処理を繰り返す。
【０１２１】
Ｓ８では、印刷枠１０の移動操作か否かが判断される。これには、エディタ表示画面５Ｂのテープ作成作業領域５Ｃに既に表示されている印刷枠１０がマウス７によってテープ作成作業領域５Ｃの別の位置までドラッグされてドロップされたか否かが判断される。印刷枠１０の移動操作と判断された場合（Ｓ８：ＹＥＳ）はＳ９に移行し、印刷枠１０の移動操作と判断されなかった場合（Ｓ８：ＮＯ）は、Ｓ１０に移行する。
【０１２２】
Ｓ９では、ドラッグ＆ドロップされた印刷枠１０の表示位置がドロップされた位置に移動した状態にエディタ表示画面５Ｂの表示が更新される。
【０１２３】
また、ＲＡＭ４３の印刷枠テーブル記憶エリア４３Ｃに記憶される印刷枠テーブルに格納され、移動された印刷枠１０に対応する印刷枠情報の、印刷枠１０の表示位置が移動後の位置に更新される。その後、Ｓ４に移行し、Ｓ４以降の処理を繰り返す。
【０１２４】
Ｓ１０では、印刷枠１０のサイズ変更操作か否かが判断される。印刷枠１０のサイズ変更操作には、ロール状印刷媒体１０３Ａの種類の変更を伴うサイズ変更操作と、ロール状印刷媒体１０３Ａの種類の変更を伴わないサイズ変更操作とがある。各サイズ変更操作には、それぞれいくつかの操作方法がある。また、印刷枠１０のサイズ変更操作には、印刷枠１０のハンドル５Ｚをマウス７によってドラッグ＆ドロップする操作方法や、印刷媒体変更リストボックス５Ｆを操作する操作方法、テープ長さ指定スピンボックス５Ｇを操作する操作方法、等がある。印刷枠１０のサイズ変更操作と判断された場合（Ｓ１０：ＹＥＳ）は、Ｓ１１に移行し、印刷枠１０のサイズ変更操作と判断されなかった場合（Ｓ１０：ＮＯ）は、Ｓ１２に移行する。
【０１２５】
Ｓ１１では、前述の何れの操作方法においても、プレカットラベルに対応する印刷枠１０では、プレカットラベルの何れかのサイズへの拡大・縮小（換言すれば、プレカットラベルの種類の変更）が可能に構成されており、長尺ロールテープに対応する印刷枠１０では、テープの幅方向に対しては、長尺ロールテープの何れかのサイズへの拡大・縮小（換言すれば、長尺ロールテープの種類の変更）が可能に構成され、テープの長手方向に対しては、拡大・縮小は自由に行うことができるように構成されている。そして、変更後のサイズにて印刷枠１０が表示更新される。また、ＲＡＭ４３の印刷枠テーブル記憶エリア４３Ｃに記憶される印刷枠テーブルに格納され、サイズ変更された印刷枠１０に対応する印刷枠情報の、ロール状印刷媒体１０３Ａの種類、印刷枠１０のサイズが変更後の値に更新される。その後、Ｓ４に移行し、Ｓ４以降の処理を繰り返す。
【０１２６】
Ｓ１２では、印刷枠１０の方向変更操作か否かが判断される。これには、例えば、エディタ表示画面５Ｂのテープ作成作業領域５Ｃに既に表示されている印刷枠１０の配置方向が、テープ横置きボタン５Ｖ又はテープ縦置きボタン５Ｙをマウスにてクリックすることにより変更されたか否かが判断される。印刷枠１０の方向変更操作と判断された場合（Ｓ１２：ＹＥＳ）はＳ１３に移行し、印刷枠１０の方向変更操作と判断されなかった場合（Ｓ１２：ＮＯ）は、Ｓ１４に移行する。
【０１２７】
Ｓ１３では、エディタ表示画面５Ｂにおいて配置方向が変更された印刷枠１０の表示が更新される。その時、印刷枠１０の配置方向が縦長な方向だった時は横長な方向に、横長な方向だった時は縦長な方向に、交互に切り替わる。尚、印刷枠１０の配置方向が切り替わるということは、ロール状印刷媒体１０３Ａに印刷する場合に、ロール状印刷媒体１０３Ａへの印刷方向が切り替わることを意味している。そのため、縦横のサイズが同じラベルで配置方向を切り換えた場合、テープ作成作業領域５Ｃへの印刷枠１０の表示は変わらなくとも、ロール状印刷媒体１０３Ａへの印刷方向は異なる。
また、ＲＡＭ４３の印刷枠テーブル記憶エリア４３Ｃに記憶される印刷枠テーブルに格納され、配置方向が変更された印刷枠１０に対応する印刷枠情報の、印刷枠１０の方向が更新される。その後、Ｓ４に移行し、Ｓ４以降の処理を繰り返す。
【０１２８】
Ｓ１４では、データ編集操作か否かが判断される。データ編集操作には、不図示のテキストボックスにキーボード６を使用して文字が入力されたり、不図示のイラストボックスにメニューバーの挿入（Ｉ）メニューの下位のメニューであるイラスト入力メニューからイラストが入力されたり、図形データ、画像データ、表データ、描画データ、バーコードデータ等がそれぞれの入力編集方法にて入力編集されたりしたか否かが判断される。データ編集操作と判断された場合（Ｓ１４：ＹＥＳ）は、Ｓ１５に移行し、データ編集操作と判断されなかった場合（Ｓ１４：ＮＯ）は、Ｓ１６に移行する。
【０１２９】
Ｓ１５では、データ編集処理を行う。これは、例えば、テキストボックスへの文字の追加であれば、エディタ表示画面５Ｂの表示がテキストボックスの中に文字が追加された状態に更新され、それに伴って、ＲＡＭ４３の編集データ記憶エリア４３Ｂに記憶される編集データに文字が追加される。テキストボックスに対しては、文字の追加の他に挿入、削除、文字のコピー等の処理がある。また、テキストボックス自体の移動、追加、削除等の処理がある。テキストボックス以外の編集も行われる。このように、データ編集操作に応じて、エディタ表示画面５Ｂの表示が更新されると共に、ＲＡＭ４３の編集データ記憶エリア４３Ｂに記憶される編集データが更新される。その後、Ｓ４に移行し、Ｓ４以降の処理を繰り返す。
【０１３０】
Ｓ１６では、印刷枠選択操作か否かが判断される。印刷枠選択方法には、例えば、エディタ表示画面５Ｂのテープ作成作業領域５Ｃに既にある印刷枠１０をマウス７によってクリックする方法がある。また、マウス７をドラッグした時にできる線分の始点と終点を対角線とする四角形により印刷枠１０を囲うようにして印刷枠１０を選択する方法がある。同時期に２つ以上の印刷枠１０を選択状態にすることも可能である。それには、キーボード６の不図示のＳＨＩＦＴキーを押下しながら、選択したい印刷枠１０を１つ１つマウス７によってクリックする方法がある。また、マウス７をドラッグした時にできる線分の始点と終点を対角線とする四角形により複数の印刷枠１０を囲うようにして印刷枠１０を選択するという方法がある。このような方法により選択された印刷枠１０が有るか否かが判断される。
印刷枠選択操作であると判断された場合（Ｓ１６：ＹＥＳ）は、Ｓ１７に移行し、印刷枠選択操作でないと判断された場合（Ｓ１６：ＮＯ）は、Ｓ１８に移行する。
【０１３１】
Ｓ１７では、エディタ表示画面５Ｂのテープ作成作業領域５Ｃにおいて、選択された印刷枠１０がハンドル５Ｚを付した印刷枠１０に表示変更され、それ以外の印刷枠１０がハンドル５Ｚを付されない印刷枠１０に表示更新される。また、選択された印刷枠１０が１つである場合、エディタ表示画面５Ｂの印刷媒体変更リストボックス５Ｆ、テープ長さ指定スピンボックス５Ｇ等の表示が、選択された印刷枠１０の値に表示更新される。また、ＲＡＭ４３の印刷枠テーブル記憶エリア４３Ｃに記憶される印刷枠テーブルに格納される各印刷枠１０に対応する印刷枠情報の選択フラグの値が更新される。
その後、Ｓ４に移行し、Ｓ４以降の処理を繰り返す。
【０１３２】
Ｓ１８では、印刷操作がされたか否かが判断される。印刷操作には、印刷ボタン５Ｌのマウス７によるクリックという操作や、ファイル（Ｆ）メニューの下位のメニューにある印刷メニューの指定という操作等がある。印刷操作がされたと判断した場合（Ｓ１８：ＹＥＳ）は、Ｓ１９に移行し、印刷操作がされなかったと判断した場合（Ｓ１８：ＮＯ）は、Ｓ２０に移行する。
【０１３３】
Ｓ１９では、印刷処理を行う。ここで、一旦図１２を参照してのメイン処理の説明を中断し、Ｓ１９において呼び出される印刷処理について図１４を参照して説明する。
【０１３４】
図１４に示すように、Ｓ５０では、選択された印刷枠１０があるか否かが判断される。これには、ＲＡＭ４３の印刷枠テーブル記憶エリア４３Ｃに記憶される印刷枠テーブルに格納される各印刷枠１０に対応する印刷枠情報の選択フラグにＯＮである選択フラグが有るか否かにより判断される。選択された印刷枠１０がないと判断した場合（Ｓ５０：ＮＯ）は、印刷処理を終了して図１２のメイン処理に戻り、Ｓ４に移行する。選択された印刷枠１０があると判断した場合（Ｓ５０：ＹＥＳ）は、Ｓ５１に移行する。
【０１３５】
Ｓ５１では、選択された印刷枠１０の内、印刷枠テーブルに最初に格納された印刷枠情報に対応する印刷枠１０が印刷対象の印刷枠１０に設定される。その後、Ｓ５２に移行する。
【０１３６】
Ｓ５２では、印刷対象の印刷枠１０から印刷データが作成されてテープ印刷装置１０１に印刷データが送信される。
【０１３７】
それには、先ず、ＲＡＭ４３の編集データ記憶手段４３Ｂに記憶されている編集データが全て読み出され、印刷データ記憶エリア４３Ｄにてビットマップイメージに展開される。例えば、編集データにテキストボックスのデータが含まれている場合、テキストボックスのデータは文字コード、文字サイズ、書体データ、その他の文字修飾データ、テキストボックスの位置データ等から構成されているので、それが印刷時と同じ縮尺のビットマップイメージに展開される。また、例えば、編集データにイラストボックスのデータが含まれている場合、イラストボックスのデータはイラストの種類、イラストのサイズ、イラストボックスの位置データ等から構成されているので、それが印刷時と同じ縮尺のビットマップイメージに展開される。
テキストボックスやイラストボックス等個々の印刷対象のビットマップイメージは、全て印刷データ記憶エリア４３Ｄに重ね合わされて１つのビットマップイメージとなる。
尚、このビットマップイメージは、印刷用に印刷データ記憶エリア４３Ｄに展開されているが、表示用に表示バッファ４３Ａに展開されるビットマップイメージと殆ど同じである。表示用のビットマップイメージでは、さらに印刷枠１０のイメージが付加されたり、印刷されない背景テーマのイメージが付加されたり、表示倍率に合わせて拡大・縮小がされる点が異なる。編集データを展開したビットマップイメージとしては同じイメージである。
【０１３８】
次に、このビットマップイメージから現在印刷対象の印刷枠１０とされている印刷枠１０に囲まれた範囲のビットマップイメージを切り出す。尚、ビットマップイメージから所定の範囲のビットマップイメージを切り出す処理は、パーソナルコンピュータの表示画面から範囲を指定して切り出す等一般的に行われており、周知なので詳細な説明は省略する。
さらに、切り出されたビットマップイメージを表すドットパターンデータ形式の印刷データに所定の情報を付加して印刷コマンドを作成し、通信用Ｉ／Ｆ４５を介してテープ印刷装置１０１に印刷コマンドとして印刷データが送信される。
その後、Ｓ５３に移行する。
【０１３９】
Ｓ５３では、次の未印刷の印刷枠１０があるか否かが判断される。それには、選択された印刷枠１０の内、現在印刷対象の印刷枠１０に設定されている印刷枠１０よりも後に印刷情報が印刷枠テーブルに格納された印刷枠１０があるか否かが判断される。次の未印刷の印刷枠１０があると判断された場合（Ｓ５３：ＹＥＳ）は、Ｓ５４に移行し、次の未印刷の印刷枠１０がないと判断された場合（Ｓ５３：ＮＯ）は、印刷処理を終了して図１２のメイン処理に戻り、Ｓ４に移行する。
【０１４０】
Ｓ５４では、次の未印刷の印刷枠１０が指定される。これには、印刷対象の印刷枠１０が、選択された印刷枠１０の内、現在印刷対象の印刷枠１０に設定されている印刷枠１０よりも後に印刷情報が印刷枠テーブルに格納された印刷枠１０であって、その中でも、印刷情報が印刷枠テーブルに格納された順番が一番早い印刷枠１０に設定される。その後、Ｓ５２に移行して再びＳ５２以降を繰り返す。
【０１４１】
再び、図１２に戻り、Ｓ２０から説明を再開する。
Ｓ２０では、その他の処理を行う。その後、Ｓ４に移行して再びＳ４以降を繰り返す。
【０１４２】
次に、図７乃至図１５に基づいて、テンプレートを利用してラベルを作成する工程について説明する。尚、図１５はテンプレートを用いてラベルの編集を行う場合に表示されるエディタ表示画面の例を示すイメージ図である。
【０１４３】
図１２に示すように、コンピュータ装置２のＣＰＵ４１は、ＲＡＭ４３の初期化等（Ｓ１）とテーププリンタ装置１０１に装着されているロール状印刷媒体１０３Ａの種類を取得（Ｓ２）後、表示装置５の画面５Ａに図１０に示すレイアウト初期化方法選択画面３００を表示する（図１３のＳ３０）。ここで、操作者は「テンプレートから読み込み」をマウス７によりクリックする。それにより、「テンプレートから読み込み」の選択肢が選択状態になる（Ｓ３３）。その後、操作者はＯＫボタン３０２をクリックする。それにより、Ｓ４１に移行する。ここでは、レイアウト初期化方法選択画面３００（図１０）に替えて、図１１に示すようなテンプレート選択画面３１０が表示される（Ｓ４１）。ここで、操作者は、テンプレート選択画面３１０のテンプレート選択欄３１２から「封書１」という名称のテンプレートを選択状態にし、ＯＫボタン３１５をクリックする。それを受け付けると（Ｓ４２）、図１５に示すエディタ表示画面５Ｂが表示される。図１５に示すように、ラベル作成作業領域５Ｃには、縦長の封書を横向きにした封書のイメージが表示されている。これは、背景テーマであり印刷はされない。
【０１４４】
その封書のイメージの左上部分には、点線の四角にて示されるテキストボックス５Ｐがあり、テキストボックス５Ｐの中には、何も表示されていない。また、テキストボックス５Ｐを囲むように破線の四角にて示される印刷枠１０が表示されている。このテキストボックス５Ｐは、ハンドル５Ｚを備えており、選択状態にある。
【０１４５】
また、封書のイメージの右下部分には、点線の四角にて示されるテキストボックス５Ｑがあり、テキストボックス５Ｑの中には、何も表示されていない。また、テキストボックス５Ｑを囲むように破線の四角にて示される印刷枠１０が表示されている。この印刷枠１０は、ハンドル５Ｚを備えておらず、よって選択状態にはない。
【０１４６】
印刷媒体変更リストボックス５Ｆには、「２９ｍｍ」が表示されている。ラベル作成作業領域５Ｃにおいて選択状態にある左上の印刷枠１０に対応している。テープ長さ指定スピンボックス５Ｇには、「６０ｍｍ」が表示されている。テープ長さ指定スピンボックス５Ｇも、ラベル作成作業領域５Ｃにおいて選択状態にある左上の印刷枠１０に対応している。
【０１４７】
テンプレート選択リストボックス５Ｈには、「封書１」が表示されている。これは、先に、テンプレート選択画面３１０にて、テンプレートとして「封書１」を選択したからである。
【０１４８】
この時に、操作者がマウス７により、テキストボックス５Ｐの中をクリックすると、データ編集処理としてテキストボックス５Ｐの中に不図示のカーソルが表示される（図１２のＳ１５）。それに続いて、操作者が、「〒４６７−ＸＸＸＸ」、「改行」、名古屋市瑞穂区ＸＸ町１−１−１」、「改行」、「兄弟機械（株）」、「改行」、「総務部  兄弟  太郎 様」と入力するとデータ編集処理として、入力した文字がＲＡＭ４３の編集データ記憶エリア４３Ｂに記憶されると共に、テキストボックス５Ｐに入力した文字が表示される（Ｓ１５）。
【０１４９】
その後、操作者がマウス７により、テキストボックス５Ｑの中をクリックすると、データ編集処理としてテキストボックス５Ｑの中に不図示のカーソルが表示される（図１２のＳ１５）。それに続いて、操作者が、「〒１０４−ＸＸＸＸ」、「改行」、「東京都中央区○○３−８−９」、「改行」、「姉妹商事（株）  営業部  姉妹  花子」と入力するとデータ編集処理として、入力した文字がＲＡＭ４３の編集データ記憶エリア４３Ｂに記憶されると共に、テキストボックス５Ｑに入力した文字が表示される（Ｓ１５）。
【０１５０】
次に、操作者がマウス７により、ラベル作成作業領域５Ｃ左上部分の印刷枠１０をクリックすると、テキストボックス５Ｑの中にあった不図示のカーソルは消え、ラベル作成作業領域５Ｃ左上部分の印刷枠１０にハンドル５Ｚが表示されて選択状態になり（図１２のＳ１７）、図７に示す状態となる。ここで、操作者は、テープ印刷装置１０１に２９ｍｍ幅の長尺ロールテープを装着する。その後、操作者は、印刷ボタン５Ｌをクリックする。その時、印刷処理として、選択状態にあるラベル作成作業領域５Ｃ左上部分の印刷枠１０の印刷データが作成され、その印刷データを備える印刷コマンドがテープ印刷装置１０１に対して送信される（図１４のＳ５２）。テープ印刷装置１０１では、印刷コマンドを受信するとラベルを印刷する。その時に作成されたラベルが図８に示すラベル５Ｍである。図７のエディタ表示画面５Ｂにおいて、印刷枠１０は、１つしか選択状態にないため、印刷処理はこれで終了する。
【０１５１】
その後、改めて、操作者がマウス７により、ラベル作成作業領域５Ｃ右下部分の印刷枠１０をクリックすると、ラベル作成作業領域５Ｃ左上部分の印刷枠１０にあったハンドル５Ｚは消え、ラベル作成作業領域５Ｃ右下部分の印刷枠１０にハンドル５Ｚが表示されて選択状態になる（図１２のＳ１７）。操作者は、テープ印刷装置１０１に１４ｍｍ幅の長尺ロールテープを装着する。その後、操作者は、印刷ボタン５Ｌをクリックする。その時、印刷処理として、選択状態にあるラベル作成作業領域５Ｃ右下部分の印刷枠１０の印刷データが作成され、その印刷データを備える印刷コマンドがテープ印刷装置１０１に対して送信される（図１４のＳ５２）。テープ印刷装置１０１では、印刷コマンドを受信するとラベルを印刷する。その時に作成されたラベルが図９に示すラベル５Ｎである。エディタ表示画面５Ｂにおいて、印刷枠１０は、１つしか選択状態にないため、印刷処理はこれで終了する。
【０１５２】
次に、図７、図１２、図１３、図１６乃至図１８に基づいて、編集ファイルやテンプレートを利用せずにラベルの編集データを作成する工程について説明する。作成されるラベルは前述のラベルを作成する工程にて説明した図８のラベル５Ｍと図９のラベル５Ｎであり、印刷処理の説明は省略する。尚、図１６乃至図１８は編集ファイルやテンプレートを利用せずにラベルの編集を行う場合に表示されるエディタ表示画面の例を示すイメージ図である。
【０１５３】
図１２に示すように、コンピュータ装置２のＣＰＵ４１は、ＲＡＭ４３の初期化等（Ｓ１）とテーププリンタ装置１０１に装着されているロール状印刷媒体１０３Ａの種類を取得（Ｓ２）後、表示装置５の画面５Ａに図１０に示すレイアウト初期化方法選択画面３００を表示する（図１３のＳ３０）。ここで、操作者はＣｌｏｓｅボタン３０３をマウス７によりクリックする。それにより、Ｓ４５に移行する。ここでは、レイアウト初期化方法選択画面３００（図１０）に替えて、図１６に示すエディタ表示画面５Ｂが表示される。図１６に示すように、ラベル作成作業領域５Ｃには、何も表示されていない。
【０１５４】
また、印刷媒体変更リストボックス５Ｆ、テープ長さ指定スピンボックス５Ｇには、何も表示されていない。テンプレート選択リストボックス５Ｈには、「通常フォーマット」が表示されている。これは、テンプレートは選択していないからである。
【０１５５】
この時に、操作者が不図示の背景テーマメニューにより、「封書」を設定すると、その他の処理としてラベル作成作業領域５Ｃに封書の背景テーマが表示される（図１２のＳ２０）。続けて、操作者が不図示のテキストボックス追加メニューにより、位置を指定しながらテキストボックスを設定すると、データ編集処理としてラベル作成作業領域５Ｃにテキストボックス５Ｐが表示される（図１２のＳ１５）。次に、操作者がマウス７により、テキストボックス５Ｐの中をクリックすると、データ編集処理としてテキストボックス５Ｐの中に不図示のカーソルが表示される（図１２のＳ１５）。それに続いて、操作者が、「〒４６７−ＸＸＸＸ」、「改行」、名古屋市瑞穂区ＸＸ町１−１−１」、「改行」、「兄弟機械（株）」、「改行」、「総務部  兄弟  太郎 様」と入力するとデータ編集処理として、入力した文字がＲＡＭ４３の編集データ記憶エリア４３Ｂに記憶されると共に、テキストボックス５Ｐに入力した文字が表示される（Ｓ１５）。また、操作者は、不図示の文字修飾メニューにより必要に応じテキストボックス５Ｐに入力した文字に文字修飾を掛けることもできる。その場合、データ編集処理として文字修飾が設定されてＲＡＭ４３の編集データ記憶エリア４３Ｂに記憶され、修飾された文字での表示に更新される（Ｓ１５）。
【０１５６】
次に、操作者が不図示のテキストボックス追加メニューにより、位置を指定しながらテキストボックスを設定すると、データ編集処理としてラベル作成作業領域５Ｃにテキストボックス５Ｑが表示される（図１２のＳ１５）。次に、操作者がマウス７により、テキストボックス５Ｑの中をクリックすると、データ編集処理としてテキストボックス５Ｑの中に不図示のカーソルが表示される（図１２のＳ１５）。それに続いて、操作者が、「〒１０４−ＸＸＸＸ」、「改行」、「東京都中央区○○３−８−９」、「改行」、「姉妹商事（株）  営業部  姉妹  花子」と入力するとデータ編集処理として、入力した文字がＲＡＭ４３の編集データ記憶エリア４３Ｂに記憶されると共に、テキストボックス５Ｑに入力した文字が表示される（Ｓ１５）。また、操作者は、不図示の文字修飾メニューにより必要に応じテキストボックス５Ｐに入力した文字に文字修飾を掛けることもできる。その場合、データ編集処理として文字修飾が設定されてＲＡＭ４３の編集データ記憶エリア４３Ｂに記憶され、修飾された文字での表示に更新される（Ｓ１５）。その状態が、図１７に示される。
【０１５７】
次に、操作者が印刷媒体選択エリア５Ｄのスクロールバーをマウス７によって操作すると、その他の処理として「２９ｍｍ幅ロール」との選択肢が表示される（図１２のＳ２０）。そして、操作者が「２９ｍｍ幅ロール」のアイコンをマウス７によってラベル作成作業領域５Ｃまでドラッグしてドロップすると、ドロップした位置に縦方向の長さが２９ｍｍ、横方向の長さが既定値の１００ｍｍである印刷枠１０が表示される（図１２のＳ７）。次に、操作者がテープ長さ指定スピンボックス５Ｇに「６０ｍｍ」を入力すると、印刷枠１０の横方向の長さが６０ｍｍに変更されて表示される（図１２のＳ１１）。その後、操作者がマウス７によりその印刷枠１０を、テキストボックス５Ｐを囲む位置まで移動させると、印刷枠１０の配置位置の設定が変更される（図１２のＳ９）。その状態が、図１８に示される。
【０１５８】
次に、操作者が印刷媒体選択エリア５Ｄのスクロールバーをマウス７によって操作すると、その他の処理として「１８ｍｍ幅ロール」との選択肢が表示される（図１２のＳ２０）。そして、操作者が「１８ｍｍ幅ロール」のアイコンをマウス７によってラベル作成作業領域５Ｃまでドラッグしてドロップすると、ドロップした位置に縦方向の長さが１８ｍｍ、横方向の長さが既定値の１００ｍｍである印刷枠１０が表示される（図１２のＳ７）。次に、操作者がテープ長さ指定スピンボックス５Ｇに「５２ｍｍ」を入力すると、印刷枠１０の横方向の長さが５２ｍｍに変更されて表示される（図１２のＳ１１）。その後、操作者がマウス７によりその印刷枠１０を、テキストボックス５Ｑを囲む位置まで移動させると、印刷枠１０の配置位置の設定が変更される（図１２のＳ９）。以上の操作を経たラベル作成作業領域５Ｃは、図７に示されるエディタ表示画面５Ｂのラベル作成作業領域５Ｃに似た状態となる。
【０１５９】
次に、図１９乃至図２１に基づいて、ラベル作成方法の例について簡単に説明する。
図１９は、ＣＤ／ＣＤケースラベルを作成する時のエディタ表示画面を示すイメージ図である。図２０は、ＣＤラベルを示す模式図である。図２１は、ＣＤケースラベルを示す模式図である。
【０１６０】
図１９に示すように、ラベル作成作業領域５Ｃには、ドーナツ型の印刷枠１０Ｃが表示され、その上部に重なって四角い印刷枠１０Ｄがある。そして、印刷枠１０Ｃと印刷枠１０Ｄの両方に囲まれる位置に、テキストボックス５Ｕがある。また、テキストボックス５Ｕには、１行目に「兄弟  太郎」、２行目に「ＢＥＳＴ  ＳＯＮＧ  ２４」との文字が表示されている。
【０１６１】
次に、図２０に示すように、ドーナツ型のラベル５Ｓの上部には、２行に渡って印刷が施されている。１行目には「兄弟  太郎」、２行目には「ＢＥＳＴ  ＳＯＮＧ  ２４」との文字が印刷されている。これは、図１９に示すエディタ表示画面５Ｂにおいて、作成されるＣＤラベルである。
【０１６２】
次に、図２１に示すように、四角形のラベル５Ｔには、２行に渡って印刷が施されている。１行目には「兄弟  太郎」、２行目には「ＢＥＳＴ  ＳＯＮＧ  ２４」との文字が印刷されている。これは、図１９に示すエディタ表示画面５Ｂにおいて、作成されるＣＤケースラベルである。
【０１６３】
ラベル５Ｓ、ラベル５Ｔとも、テキストボックス５Ｕの文字が印刷されており、文字サイズ、書体、その他文字修飾は共通である。
【０１６４】
従来の１編集画面に１つの印刷範囲しか指定出来なかった場合は、２つ編集画面を立ち上げ、それぞれに編集データを入力し、印刷範囲を設定する必要があった。しかし、上記の例のように、印刷枠は２つであるが、テキストボックスは１つにして、さらに１つテキストボックスを追加しないようにすることも可能である。
【０１６５】
また、印刷媒体の形状は異なるが、印刷する文字の内容が同じ場合、従来であれば、文字の内容に変更があれば、ラベルの編集ファイル毎にテキストボックスに修正を加えることが必要であった。しかし、上記の例のようにすることにより、テキストボックスの修正は１回で済ませることができる。
【０１６６】
次に、図２２乃至図２４に基づいて、別のラベル作成方法の例について簡単に説明する。
図２２は、画像イメージからラベルを作成する時のエディタ表示画面を示すイメージ図である。図２３及び図２４は、ラベルを示す模式図である。
【０１６７】
図２２に示すように、ラベル作成作業領域５Ｃには、二人が左右に並んで立っている画像イメージが表示されている。そして、左側の人の全身を囲む四角形の印刷枠１０Ｅがあり、右側の人の上半身を囲む四角形の印刷枠１０Ｆがある。
【０１６８】
図２３は、図２２に示すエディタ表示画面５Ｂにおいて、印刷枠１０Ｅを印刷範囲として作成されたラベル５Ｗを示している。また、図２４は、図２２に示すエディタ表示画面５Ｂにおいて、印刷枠１０Ｆを印刷範囲として作成されたラベル５Ｘを示している。
尚、第１実施形態において、印刷枠は２つまでしか設定できない訳ではなく、３つ以上設定することも可能である。
【０１６９】
以上詳細に説明した通り第１実施形態に係る印刷データ編集装置１では、ＣＰＵ１によって表示装置５に表示される印刷枠１０は、形状がテープ印刷装置１０１によって印刷されるロール状印刷媒体１０３Ａの外形形状に対応していると共に、少なくとも２つ設定することができる。それにより、ＣＰＵ４１、ＲＡＭ４３、キーボード６等によって作成された編集データに基づいてＣＰＵ４１が表示装置コントローラ５０を介して表示装置５に表示イメージを表示し、その表示装置５に表示されている表示イメージに対して、所望する複数の表示位置に対して、印刷範囲を設定する同形又は異形の印刷枠１０がそれぞれ設定されることによって、その印刷枠１０を別々のロール状印刷媒体１０３Ａに印刷することが可能となる。また、１つの印刷枠１０で設定された編集データの印刷範囲を他の同形又は異形の印刷枠１０で全て覆うことによって、同一の編集データの印刷範囲をそれぞれ印刷したり片方の印刷枠１０を少しずつずらしたりして印刷することも可能であるので、印刷結果にバリエーションを広げることができる。また、ＣＰＵ４１、ＲＡＭ４３、キーボード６等によって作成される編集データに対しては、出来上がりは別々であるが関連性の強い複数のロール状印刷媒体１０３Ａの印刷範囲を組み合わせて編集データを作成することができる。例えば、封書の宛先及び差出人等が印刷されたロール状印刷媒体１０３Ａを作成するときに、実際に印刷されたロール状印刷媒体１０３Ａを貼り付けた状態に近い状態で編集ができるので、ロール状印刷媒体１０３Ａに対する印刷範囲のバランスおよび封書に対する編集データのバランスが容易に調整できる。
【０１７０】
また、表示装置５に表示される印刷枠１０のサイズは、テープ印刷装置１０１が装着可能なロール状印刷媒体１０３Ａの１つとサイズが同じである。それにより、操作者はロール状印刷媒体１０３Ａと印刷データとの位置及び大きさのバランスの取れた出来上がりが想定でき、想定通りにできているかの試し刷りをする必要がない。
【０１７１】
また、表示装置５に表示される印刷枠１０に対し、ＣＰＵ４１、マウス７、マウスカーソル７Ａ等によって、印刷枠１０の表示位置の移動操作が行われ、印刷枠１０が移動することによって、テープ印刷装置１０１を使用して印刷するための印刷範囲の位置を変更することができる。それにより、表示装置５に表示される編集データのどこからでも印刷枠１０によって印刷データを取得することができる。また、印刷枠１０の移動によって印刷範囲の位置を微調整できる。
【０１７２】
また、表示装置５に表示される印刷枠１０の位置とサイズとを備える印刷枠１０のレイアウトを含むテンプレートをイメージとして表示するテンプレートイメージを複数表示して、ＣＰＵ４１、マウス７、マウスカーソル７Ａ等によって、操作者が所望するテンプレートを選択させることができる。それにより、操作者が目的とする印刷枠１０のレイアウトのテンプレートを素早く見付け出すことができる。また、選択されたテンプレートの印刷枠１０のレイアウトは表示装置５の所定の場所に表示される。そのため、操作者は表示装置５に表示される印刷枠１０のレイアウトに対して素早く作業ができる。
【０１７３】
また、テンプレートは、文字データ、及び、画像データの何れかの位置とサイズとを有する。それにより、操作者は編集データを作成するための設定を省略できる。
【０１７４】
また、テープ印刷装置１０１は、テープ印刷装置１０１に装着されるロール状印刷媒体１０３Ａのサイズを検出する印刷媒体判別センサＭＳ１〜ＭＳ５を有し、表示装置５に表示された印刷枠１０は、印刷枠１０が表示された初期状態では印刷媒体判別センサＭＳ１〜ＭＳ５で検出されたロール状印刷媒体１０３Ａのサイズで表示されるようにした。それにより、操作者は表示装置５に表示された印刷枠１０の範囲以下で編集作業を行えばよいことが分かる。また、操作者は表示装置５に表示された印刷枠１０の範囲を越えて編集作業を行った場合、ロール状印刷媒体１０３Ａのサイズを交換しなければならないことが分かる。
【０１７５】
また、表示装置５に表示される印刷枠１０を表示装置５上に配置する向きを指示するためにエディタ表示画面５Ｂにテープ横置きボタン５Ｖ及びテープ縦置きボタン５Ｙを備えた。それにより、操作者は表示装置５に表示される印刷枠１０の向きを変更することができ、例えば印刷枠１０の印刷範囲を縦長又は横長にすることによって編集データの印刷する位置及び方向を自由に変更することができる。
【０１７６】
また、ＣＰＵ１によって表示装置５に表示される印刷枠１０は、形状がテープ印刷装置１０１によって印刷されるロール状印刷媒体１０３Ａの外形形状に対応していると共に、少なくとも２つ設定することができ、ＣＰＵ４１は通信用Ｉ／Ｆ４５を介して、選択された各印刷枠１０に対応する印刷データをテープ印刷装置１０１に対し一括して送信する。それにより、印刷データをテープ印刷装置１０１に対し一括して送信するので、操作者は何度も印刷データの送信操作を行う必要がない。
【０１７７】
また、互いに関連のあるラベルの編集を１画面でできるので作業の効率がよい。また、管理する場合も１つの編集ファイルを管理すればよいので管理しやすい。
【０１７８】
また、編集画面を複数同時に立ち上げた場合、表示用のメモリを多く使用することになる。仮想メモリとして、立ち上がってはいるが表示されていない画面は、ハードディスクに一時保存されることもあるが、ハードディスクにアクセスすると処理に時間が掛かる。それに対し、本発明では１つの編集画面で済むので、操作者はストレスなく編集画面を操作できる。
尚、第１実施形態では、印刷コマンドはビットマップイメージに対応するドットパターンデータを備えていたが、ビットマップイメージに展開する前の編集データを備えて構成してもよい。その場合、印刷コマンドは例えば、全編集データと印刷範囲を備えて構成され、印刷コマンドを受信したテープ印刷装置１０１は、編集データを展開してビットマップイメージを作成し、そこから、印刷範囲に含まれるビットマップイメージを切り出して印刷データを作成して印刷する。
【０１７９】
また、印刷コマンドは、全編集データを備えて構成されるのでなく、印刷範囲に全体あるいは一部が含まれる印刷対象物に係る編集データを備えて構成されてもよい。
【０１８０】
第１実施形態では、表示バッファ４３Ａと印刷データ記憶エリア４３Ｄとを備え、何れにおいても編集データからビットマップイメージを展開していたが、編集データからビットマップイメージを展開するための共通の記憶領域を設けて、表示バッファ４３Ａと印刷データ記憶エリア４３Ｄは、その記憶領域からビットマップイメージをコピーして加工するように構成してもよい。
【０１８１】
第１実施形態では、印刷枠１０は、印刷媒体の外形線に対応し、縮尺は印刷媒体と同じであったが、編集データの内、実際に印刷される編集データの範囲を示す枠（印刷範囲枠と呼ぶことにする）を印刷枠１０毎に別途設けてもよい。印刷範囲枠は拡大・縮小ができるように構成してもよい。印刷範囲枠の拡大では、印刷範囲枠は印刷枠１０の範囲を超えてはできないように構成してもよい。
【０１８２】
第１実施形態に係る印刷枠１０を無くし、替わって印刷範囲枠を印刷枠とし、拡大・縮小はできるが、拡大は印刷媒体のサイズを超えてはできないように構成してもよい。
【０１８３】
次に、第２実施形態に係る印刷データ編集装置について説明する。第２実施形態は第１実施形態と殆ど同じであって、印刷処理が異なる。以下では、第１実施形態と異なる部分を中心に図２５を参照して説明する。尚、第１実施形態と同じ構成には第１実施形態と同じ符号を付して説明する。
【０１８４】
図２５は、印刷処理のフローチャートである。尚、以下の処理は全てＣＰＵ４１により実行される。
【０１８５】
図２５に示すように、Ｓ６０では、選択された印刷枠１０があるか否かが判断される。これには、ＲＡＭ４３の印刷枠テーブル記憶エリア４３Ｃに記憶される印刷枠テーブルに格納される各印刷枠１０に対応する印刷枠情報の選択フラグにＯＮである選択フラグが有るか否かにより判断される。選択された印刷枠１０がないと判断した場合（Ｓ６０：ＮＯ）は、印刷処理を終了して図１２のメイン処理に戻り、Ｓ４に移行する。選択された印刷枠１０があると判断した場合（Ｓ６０：ＹＥＳ）は、Ｓ６１に移行する。
【０１８６】
Ｓ６１では、コンピュータ装置２と接続されているテープ印刷装置１０１からテープ印刷装置１０１に装着されているロール状印刷媒体１０３Ａの種類を取得する。それには、テープ印刷装置１０１に対し、ケーブルＫを介して装着されているロール状印刷媒体１０３Ａの種類を通知させる媒体種類要求コマンドが送信される。それに応じ、テープ印刷装置１０１からロール状印刷媒体１０３Ａの種類が送り返されてくるので、ケーブルＫを介してそれが受信される。送り返されたロール状印刷媒体１０３Ａの種類は、ＲＡＭ４３の装着テープ種類記憶エリア４３Ｅに記憶される。その後、Ｓ６２に移行する。
【０１８７】
Ｓ６２では、選択された印刷枠１０の内、印刷枠テーブルに最初に格納された印刷枠情報に対応する印刷枠１０が印刷対象の印刷枠１０に設定される。その後、Ｓ６３に移行する。
【０１８８】
Ｓ６３では、印刷枠１０の範囲の印刷はテープ印刷装置１０１に装着されているテープに印刷できるか否かが判断される。印刷枠１０に対応するテープの種類は、印刷枠テーブルの印刷枠情報からロール状印刷媒体１０３Ａの種類を読み出すことにより取得する。そのため、このロール状印刷媒体１０３Ａの種類と、ＲＡＭ４３の装着テープ種類記憶エリア４３Ｅに記憶されているロール状印刷媒体１０３Ａの種類とを比較することにより判断がされる。テープ印刷装置１０１に装着されているテープに印刷できると判断された場合（Ｓ６３：ＹＥＳ）は、Ｓ６４に移行し、テープ印刷装置１０１に装着されているテープに印刷できないと判断された場合（Ｓ６３：ＮＯ）は、Ｓ６５に移行する。
【０１８９】
Ｓ６４では、印刷対象の印刷枠１０から印刷データが作成されてテープ印刷装置１０１に印刷データが送信される。
【０１９０】
それには、先ず、ＲＡＭ４３の編集データ記憶手段４３Ｂに記憶されている編集データが全て読み出され、印刷データ記憶エリア４３Ｄにてビットマップイメージに展開される。例えば、編集データにテキストボックスのデータが含まれている場合、テキストボックスのデータは文字コード、文字サイズ、書体データ、その他の文字修飾データ、テキストボックスの位置データ等から構成されているので、それが印刷時と同じ縮尺のビットマップイメージに展開される。また、例えば、編集データにイラストボックスのデータが含まれている場合、イラストボックスのデータはイラストの種類、イラストのサイズ、イラストボックスの位置データ等から構成されているので、それが印刷時と同じ縮尺のビットマップイメージに展開される。
【０１９１】
テキストボックスやイラストボックス等個々の印刷対象のビットマップイメージは、全て印刷データ記憶エリア４３Ｄに重ね合わされて１つのビットマップイメージとなる。
尚、このビットマップイメージは、印刷用に印刷データ記憶エリア４３Ｄに展開されているが、表示用に表示バッファ４３Ａに展開されるビットマップイメージと殆ど同じである。表示用のビットマップイメージでは、さらに印刷枠１０のイメージが付加されたり、印刷されない背景テーマのイメージが付加されたり、表示倍率に合わせて拡大・縮小がされる点が異なる。編集データを展開したビットマップイメージとしては同じイメージである。
【０１９２】
次に、このビットマップイメージから現在印刷対象の印刷枠１０とされている印刷枠１０に囲まれた範囲のビットマップイメージを切り出す。尚、ビットマップイメージから所定の範囲のビットマップイメージを切り出す処理は、パーソナルコンピュータの表示画面から範囲を指定して切り出す等一般的に行われており、周知なので詳細な説明は省略する。
【０１９３】
さらに、切り出されたビットマップイメージを表すドットパターンデータ形式の印刷データに所定の情報を付加して印刷コマンドを作成し、通信用Ｉ／Ｆ４５を介してテープ印刷装置１０１に印刷コマンドとして印刷データが送信される。
その後、Ｓ６５に移行する。
【０１９４】
Ｓ６５では、次の未印刷の印刷枠１０があるか否かが判断される。それには、選択された印刷枠１０の内、現在印刷対象の印刷枠１０に設定されている印刷枠１０よりも後に印刷情報が印刷枠テーブルに格納された印刷枠１０があるか否かが判断される。次の未印刷の印刷枠１０があると判断された場合（Ｓ６５：ＹＥＳ）は、Ｓ６６に移行し、次の未印刷の印刷枠１０がないと判断された場合（Ｓ６５：ＮＯ）は、印刷処理を終了して図１２のメイン処理に戻り、Ｓ４に移行する。
【０１９５】
Ｓ６６では、次の未印刷の印刷枠１０が指定される。これには、印刷対象の印刷枠１０が、選択された印刷枠１０の内、現在印刷対象の印刷枠１０に設定されている印刷枠１０よりも後に印刷情報が印刷枠テーブルに格納された印刷枠１０であって、その中でも、印刷情報が印刷枠テーブルに格納された順番が一番早い印刷枠１０に設定される。その後、Ｓ６３に移行して再びＳ６３以降を繰り返す。
【０１９６】
以上詳細に説明した通り第２実施形態に係る印刷データ編集装置１では、ＣＰＵ４１によって印刷枠１０を２つ以上選択することができ、ＣＰＵ４１は通信用Ｉ／Ｆ４５を介してＣＰＵ４１によって２つ以上選択された印刷枠１０の内、テープ印刷装置１０１に装着されており、印刷媒体判別センサＭＳ１〜ＭＳ５により検出されたロール状印刷媒体１０３Ａのサイズに適合した印刷枠１０に対応する印刷データをテープ印刷装置１０１に対し一括して送信する。それにより、テープ印刷装置１０１に装着されるロール状印刷媒体１０３Ａの交換回数を最小限にすることができる。これによって、印刷枠１０のサイズを混同して送信すると送信された印刷枠１０のサイズがテープ印刷装置１０１に装着されているロール状印刷媒体１０３Ａのサイズと異なる度にテープ印刷装置１０１が停止させられることを回避できる。
【０１９７】
次に、第３実施形態に係る印刷データ編集装置について説明する。第３実施形態は第１実施形態と殆ど同じであって、主に印刷処理が異なる。以下では、第１実施形態と異なる部分を中心に図２６を参照して説明する。尚、第１実施形態と同じ構成には第１実施形態と同じ符号を付して説明する。
【０１９８】
図２６は、印刷処理のフローチャートである。尚、以下の処理は全てＣＰＵ４１により実行される。
【０１９９】
第１実施形態及び第２実施形態においては、印刷枠テーブルに格納される印刷枠情報は、印刷枠１０に対応するロール状印刷媒体１０３Ａの種類、印刷枠１０のサイズ、印刷枠１０の位置、印刷枠１０の方向、印刷枠１０が選択状態にあるか否かを示す選択フラグ、を備えているが、第３実施形態では、さらに印刷要求フラグが追加される。印刷要求フラグは、印刷処理の初めの段階で、選択された印刷枠１０に対応する印刷枠情報の印刷要求フラグは全てＯＮになり、印刷が終わった印刷枠１０の印刷要求フラグから順にＯＦＦになるように使用される。
【０２００】
図２６に示すように、Ｓ７０では、選択された印刷枠１０があるか否かが判断される。これには、ＲＡＭ４３の印刷枠テーブル記憶エリア４３Ｃに記憶される印刷枠テーブルに格納される各印刷枠１０に対応する印刷枠情報の選択フラグにＯＮである選択フラグが有るか否かにより判断される。選択された印刷枠１０がないと判断した場合（Ｓ７０：ＮＯ）は、印刷処理を終了して図１２のメイン処理に戻り、Ｓ４に移行する。選択された印刷枠１０があると判断した場合（Ｓ７０：ＹＥＳ）は、選択された印刷枠１０に対応する印刷枠情報の印刷要求フラグが全てＯＮにされた後、Ｓ７１に移行する。
【０２０１】
Ｓ７１では、コンピュータ装置２と接続されているテープ印刷装置１０１からテープ印刷装置１０１に装着されているロール状印刷媒体１０３Ａの種類を取得する。それには、テープ印刷装置１０１に対し、ケーブルＫを介して装着されているロール状印刷媒体１０３Ａの種類を通知させる媒体種類要求コマンドが送信される。それに応じ、テープ印刷装置１０１からロール状印刷媒体１０３Ａの種類が送り返されてくるので、ケーブルＫを介してそれが受信される。送り返されたロール状印刷媒体１０３Ａの種類は、ＲＡＭ４３の装着テープ種類記憶エリア４３Ｅに記憶される。その後、Ｓ７２に移行する。
【０２０２】
Ｓ７２では、選択された印刷枠１０の内、印刷枠テーブルに最初に格納された印刷枠情報に対応する印刷枠１０が印刷対象の印刷枠１０に設定される。その後、Ｓ７３に移行する。
【０２０３】
Ｓ７３では、印刷枠１０の範囲の印刷はテープ印刷装置１０１に装着されているテープに印刷できるか否かが判断される。印刷枠１０に対応するテープの種類は、印刷枠テーブルの印刷枠情報からロール状印刷媒体１０３Ａの種類を読み出すことにより取得する。そのため、このロール状印刷媒体１０３Ａの種類と、ＲＡＭ４３の装着テープ種類記憶エリア４３Ｅに記憶されているロール状印刷媒体１０３Ａの種類とを比較することにより判断がされる。テープ印刷装置１０１に装着されているテープに印刷できると判断された場合（Ｓ７３：ＹＥＳ）は、Ｓ７４に移行し、テープ印刷装置１０１に装着されているテープに印刷できないと判断された場合（Ｓ７３：ＮＯ）は、Ｓ７５に移行する。
【０２０４】
Ｓ７４では、印刷対象の印刷枠１０から印刷データが作成されてテープ印刷装置１０１に印刷データが送信される。
【０２０５】
それには、先ず、ＲＡＭ４３の編集データ記憶手段４３Ｂに記憶されている編集データが全て読み出され、印刷データ記憶エリア４３Ｄにてビットマップイメージに展開される。例えば、編集データにテキストボックスのデータが含まれている場合、テキストボックスのデータは文字コード、文字サイズ、書体データ、その他の文字修飾データ、テキストボックスの位置データ等から構成されているので、それが印刷時と同じ縮尺のビットマップイメージに展開される。また、例えば、編集データにイラストボックスのデータが含まれている場合、イラストボックスのデータはイラストの種類、イラストのサイズ、イラストボックスの位置データ等から構成されているので、それが印刷時と同じ縮尺のビットマップイメージに展開される。
【０２０６】
テキストボックスやイラストボックス等個々の印刷対象のビットマップイメージは、全て印刷データ記憶エリア４３Ｄに重ね合わされて１つのビットマップイメージとなる。
尚、このビットマップイメージは、印刷用に印刷データ記憶エリア４３Ｄに展開されているが、表示用に表示バッファ４３Ａに展開されるビットマップイメージと殆ど同じである。表示用のビットマップイメージでは、さらに印刷枠１０のイメージが付加されたり、印刷されない背景テーマのイメージが付加されたり、表示倍率に合わせて拡大・縮小がされる点が異なる。編集データを展開したビットマップイメージとしては同じイメージである。
【０２０７】
次に、このビットマップイメージから現在印刷対象の印刷枠１０とされている印刷枠１０に囲まれた範囲のビットマップイメージを切り出す。尚、ビットマップイメージから所定の範囲のビットマップイメージを切り出す処理は、パーソナルコンピュータの表示画面から範囲を指定して切り出す等一般的に行われており、周知なので詳細な説明は省略する。
【０２０８】
さらに、切り出されたビットマップイメージを表すドットパターンデータ形式の印刷データに所定の情報を付加して印刷コマンドを作成し、通信用Ｉ／Ｆ４５を介してテープ印刷装置１０１に印刷コマンドとして印刷データが送信される。
【０２０９】
印刷の終了した印刷枠１０に対応する印刷枠情報の印刷要求フラグはＯＦＦにされる。
その後、Ｓ７５に移行する。
【０２１０】
Ｓ７５では、次の未印刷の印刷枠１０があるか否かが判断される。それには、印刷要求フラグがＯＮの印刷枠情報に対応する印刷枠１０の内、現在印刷対象の印刷枠１０に設定されている印刷枠１０よりも後に印刷情報が印刷枠テーブルに格納された印刷枠１０があるか否かが判断される。次の未印刷の印刷枠１０があると判断された場合（Ｓ７５：ＹＥＳ）は、Ｓ７６に移行し、次の未印刷の印刷枠１０がないと判断された場合（Ｓ７５：ＮＯ）は、Ｓ７７に移行する。
【０２１１】
Ｓ７６では、次の未印刷の印刷枠１０が指定される。これには、印刷対象の印刷枠１０が、印刷要求フラグがＯＮの印刷枠情報に対応する印刷枠１０の内、現在印刷対象の印刷枠１０に設定されている印刷枠１０よりも後に印刷情報が印刷枠テーブルに格納された印刷枠１０であって、その中でも、印刷情報が印刷枠テーブルに格納された順番が一番早い印刷枠１０に設定される。その後、Ｓ７３に移行して再びＳ７３以降を繰り返す。
【０２１２】
Ｓ７５において、次の未印刷の印刷枠１０がないと判断された場合（Ｓ７５：ＮＯ）に移行するＳ７７では、未印刷の印刷枠１０が残っているか否かが判断される。これには、全ての印刷枠情報の中に印刷要求フラグがＯＮの印刷枠情報があるか否かにより判断がされる。未印刷の印刷枠１０が残っていないと判断された場合（Ｓ７７：ＮＯ）は、印刷処理を終了して図１２のメイン処理に戻り、Ｓ４に移行する。未印刷の印刷枠１０が残っていると判断された場合（Ｓ７７：ＹＥＳ）は、Ｓ７８に移行する。
【０２１３】
Ｓ７８では、未印刷の印刷枠１０の内、先頭の印刷枠１０を指定する。これには、全ての印刷枠情報の中で印刷要求フラグがＯＮの印刷枠情報の内、印刷枠テーブルに格納された順番が一番早い印刷枠情報に対応する印刷枠１０に設定される。その後、Ｓ７９に移行する。
【０２１４】
Ｓ７９では、先頭の未印刷の印刷枠１０を印刷するテープへのテープ交換メッセージが表示装置コントローラ５０を介して、表示装置５の画面５Ａに表示される。尚、交換を促すテープの種類は、Ｓ７８にて設定された印刷枠１０に対応する印刷枠情報の「ロール状印刷媒体１０３Ａの種類」を読み出すことにより取得する。その後、Ｓ８０に移行する。
【０２１５】
Ｓ８０では、コンピュータ装置２と接続されているテープ印刷装置１０１からテープ印刷装置１０１に装着されているロール状印刷媒体１０３Ａの種類を取得する。それには、テープ印刷装置１０１に対し、ケーブルＫを介して装着されているロール状印刷媒体１０３Ａの種類を通知させる媒体種類要求コマンドが送信される。それに応じ、テープ印刷装置１０１からロール状印刷媒体１０３Ａの種類が送り返されてくるので、ケーブルＫを介してそれが受信される。送り返されたロール状印刷媒体１０３Ａの種類は、ＲＡＭ４３の作業用記憶エリア４３Ｆに記憶される（装着テープ種類記憶エリア４３Ｅではない）。その後、Ｓ８１に移行する。
【０２１６】
Ｓ８１では、テープ印刷装置１０１において、ロール状印刷媒体１０３Ａが交換されたか否かが判断される。これには、ＲＡＭ４３の作業用記憶エリア４３Ｆの値と装着テープ種類記憶エリア４３Ｅの値とが比較される。交換されなかったと判断した場合（Ｓ８１：ＮＯ）は、ＲＡＭ４３の作業用記憶エリア４３Ｆの値を装着テープ種類記憶エリア４３Ｅに記憶した後、Ｓ８０に移行して再びＳ８０以降を繰り返す。交換されたと判断された場合（Ｓ８１：ＹＥＳ）は、ＲＡＭ４３の作業用記憶エリア４３Ｆの値を装着テープ種類記憶エリア４３Ｅに記憶した後、Ｓ７３に移行して再びＳ７３以降を繰り返す。
【０２１７】
以上詳細に説明した通り第３実施形態に係る印刷データ編集装置１では、テープ印刷装置１０１に対し印刷データが送信された時、ＣＰＵ ４１により２つ以上選択された印刷枠１０の中にテープ印刷装置１０１に装着されているロール状印刷媒体１０３Ａのサイズと適合しない印刷枠１０がある場合、適合しない印刷枠１０に対して、ＣＰＵ ４１は表示装置５に対応するロール状印刷媒体１０３Ａへの交換メッセージの表示を行い、ＣＰＵ ４１は通信用Ｉ／Ｆ４５を介し、送信手段は適合しない印刷枠１０に対して、対応するロール状印刷媒体１０３Ａへ交換された後に、交換によりロール状印刷媒体１０３Ａに適合することとなった印刷枠１０に対応する印刷データをテープ印刷装置１０１に対し一括して送信する。それにより、適合しない印刷枠１０の場合、ＣＰＵ ４１は表示装置５に適合しない印刷枠１０に対応するロール状印刷媒体１０３Ａへの交換メッセージの表示を行って操作者に知らせるので、操作者はその表示に従って速やかにロール状印刷媒体１０３Ａを交換することができる。そして、ロール状印刷媒体１０３Ａを交換した後に、交換によりロール状印刷媒体１０３Ａに適合することとなった印刷データがテープ印刷装置１０１に対し一括して送信されるので、操作者は何度も印刷データの送信操作を行う必要がない。
【０２１８】
尚、本発明は前記実施形態に限定されるものではなく、本発明の要旨を逸脱しない範囲内で種々の改良、変形が可能であることは勿論である。
例えば、本実施形態ではコンピュータ装置２には、ロール状印刷媒体１０３Ａが装着されるテープ印刷装置１０１が接続されているが、テープカセットが装着されるテープ印刷装置やＡ４サイズ又はＢ５サイズ等のカット紙が装着された印刷装置をコンピュータ装置２に接続してもよい。
【図面の簡単な説明】
【０２１９】
【図１】第１実施形態に係る印刷データ編集装置の概略外観斜視図である。
【図２】テープ印刷装置に印刷媒体ホルダを装着した状態を示す斜視図である。
【図３】ロール状印刷場板が装着された印刷媒体ホルダを示す説明図である。
【図４】テープ印刷装置に印刷媒体ホルダが装着された状態で上カバーを取り外して示す側断面図である。
【図５】印刷データ編集装置を構成するコンピュータ装置の要部の回路構成を示す回路ブロック図である。
【図６】印刷データ編集装置を構成するテープ印刷装置の要部の回路構成を示す回路ブロック図である。
【図７】エディタ表示画面を示すイメージ図である。
【図８】ラベルを示す模式図である。
【図９】ラベルを示す模式図である。
【図１０】レイアウト初期化方法選択画面を示すイメージ図である。
【図１１】テンプレート選択画面を示すイメージ図である。
【図１２】メイン処理を示すフローチャートである。
【図１３】初期表示選択処理のフローチャートである。
【図１４】印刷処理のフローチャートである。
【図１５】テンプレートを用いてラベルの編集を行う場合に表示されるエディタ表示画面の例を示すイメージ図である。
【図１６】編集ファイルやテンプレートを利用せずにラベルの編集を行う場合に表示されるエディタ表示画面の例を示すイメージ図である。
【図１７】編集ファイルやテンプレートを利用せずにラベルの編集を行う場合に表示されるエディタ表示画面の例を示すイメージ図である。
【図１８】編集ファイルやテンプレートを利用せずにラベルの編集を行う場合に表示されるエディタ表示画面の例を示すイメージ図である。
【図１９】ＣＤ／ＣＤケースラベルを作成する時のエディタ表示画面を示すイメージ図である。
【図２０】ＣＤラベルを示す模式図である。
【図２１】ＣＤケースラベルを示す模式図である。
【図２２】画像イメージからラベルを作成する時のエディタ表示画面を示すイメージ図である。
【図２３】ラベルを示す模式図である。
【図２４】ラベルを示す模式図である。
【図２５】第２実施形態に係る印刷処理のフローチャートである。
【図２６】第３実施形態に係る印刷処理のフローチャートである。
【符号の説明】
【０２２０】
１          印刷データ編集装置
２          コンピュータ装置
５          表示装置
５Ａ        画面
５Ｄ        印刷媒体選択エリア
５Ｚ        ハンドル
６          キーボード
７          マウス
１０        印刷枠
４１        ＣＰＵ
４３        ＲＡＭ
４３Ｃ      印刷枠テーブル記憶エリア
４５        通信用Ｉ／Ｆ
１０１      テープ印刷装置
１０３Ａ    ロール状印刷媒体
ＭＳ１〜ＭＳ５  印刷媒体判別センサ
【図１】
0004697062.tif 000002
【図２】
0004697062.tif 000003
【図３】
0004697062.tif 000004
【図４】
0004697062.tif 000005
【図５】
0004697062.tif 000006
【図６】
0004697062.tif 000007
【図７】
0004697062.tif 000008
【図８】
0004697062.tif 000009
【図９】
0004697062.tif 000010
【図１０】
0004697062.tif 000011
【図１１】
0004697062.tif 000012
【図１２】
0004697062.tif 000013
【図１３】
0004697062.tif 000014
【図１４】
0004697062.tif 000015
【図１５】
0004697062.tif 000016
【図１６】
0004697062.tif 000017
【図１７】
0004697062.tif 000018
【図１８】
0004697062.tif 000019
【図１９】
0004697062.tif 000020
【図２０】
0004697062.tif 000021
【図２１】
0004697062.tif 000022
【図２２】
0004697062.tif 000023
【図２３】
0004697062.tif 000024
【図２４】
0004697062.tif 000025
【図２５】
0004697062.tif 000026
【図２６】
0004697062.tif 000027